(57)【要約】【課題】「零れ球」を的確に処理し、「球詰まりの解消作業」等を迅速に実行可能な遊技機を提供する。【解決手段】球受入部５ｄを後方に突出させ、上皿導入口５ｂを具備する上皿部材５と、下皿導入口６ａを具備する下皿部材６を備える。遊技球を前方に排出する上排出口３５は上皿部材５が閉鎖されると、球受入部５ｄと連通する。本体枠３において上排出口３５の下方に、前面部が上排出口３５よりも前方で、収納用凹部３８ｃを後方に開口させた収納部３８が設けられる。収納部３８に回収した遊技球を下皿導入口６ａに導くための通路ボックス８０が収納用凹部３８ｃに装着される。収納部３８において零れ球回収口３８ｋの前方に、上皿部材６が閉鎖されると、球受入部５ｄにより圧迫され、開放されると、上排出口３５の前方に突出する脱落防止部材３９を配置する。【選択図】図１９
2008079932.tif 000002
【特許請求の範囲】
【請求項１】
遊技盤が装着されると共に、払出装置と該払出装置から払い出される遊技球を誘導する誘導手段とが後方に配設された本体枠と、
上皿本体を備え、前方への開放動作を実行可能な状態で前記本体枠の前面部側に装着され、球受入部を後方に突出させた状態に備えると共に、該球受入部で受け入れた遊技球を、前記上皿本体に導入するための上皿導入口を具備する上皿部材と、
下皿本体を備え、前記上皿部材の下方に配置されると共に、該下皿本体に遊技球を導入するための下皿導入口を具備する下皿部材と、
を備え、
前記本体枠の前面部において前記上皿部材の後面部と対向する所定の部位に、前記誘導手段で誘導された遊技球を、前記本体枠の前方に排出するための上排出口を開口させ、前記上皿部材が閉鎖状態とされると、前記球受入部と前記上排出口とが連通状態とされ、前記上皿部材が開放状態とされると、前記球受入部と前記上排出口との連通状態が解除される遊技機であって、
前記本体枠において前記上排出口の下方の部位を含む位置に、前面部が前記上排出口の形成位置よりも前方に配置されると共に、前方に窪みつつ後方に開口する収納用凹部を形成する収納部が設けられ、
前記収納部の上面部であって前記上排出口の下方に位置する部位に、前記上排出口から零れ出る遊技球を、回収するための零れ球回収口が貫通状に設けられ、
前記零れ球回収口で回収した遊技球を、前記下皿導入口の方向に導くための下皿排出通路を備える通路形成部材が前記収納用凹部に装着され、
前記収納部において前記零れ球回収口の前方の所定の箇所に対して、弾性部材を用いて構成される脱落防止部材が配置され、
前記脱落防止部材は、
前記上皿部材が閉鎖状態とされると、前記球受入部の底面部によって下方に圧迫され、弾性変形すると共に、前記上皿部材が開放状態とされると、前記圧迫が解除され、前記上排出口の前方に対向する位置に突出することを特徴とする遊技機。
【請求項２】
前記収納部には、前記上皿部材に貯留される遊技球が上限量に到達した場合に、前記上皿部材から溢れ出る遊技球を回収するための溢れ球回収部と、前記上皿部材に貯留された遊技球を球抜きして回収するための球抜き用回収部と、が形成され、
前記通路形成部材には
前記溢れ球回収部で回収された遊技球を前記下皿導入口の方向に導くための溢れ球回収通路と、前記球抜き用回収部で回収された遊技球を前記下皿導入口の方向に導くための球抜き用回収通路と、
が設けられることを特徴とする請求項１に記載の遊技機。
【請求項３】
前記通路形成部材において、前記零れ球回収口と、前記下皿排出通路を構成する通路壁の上面部と、の上下方向に沿った中間の位置に対して衝撃吸収壁を設けたことを特徴とする請求項１又は２に記載の遊技機。
【請求項４】
前記溢れ球回収部の前方の位置に対して、前記溢れ球回収部を覆う不正防止壁を形成したことを特徴とする請求項１〜請求項３の何れか１項に記載の遊技機。
【請求項５】
前記脱落防止部材は、線形のバネ部材を用いて構成されることを特徴とする請求項１〜請求項４の何れか１項に記載の遊技機。
【請求項６】
前記収納部は、前記下皿導入口の方向に向かって遊技球を排出するための排出口を備え、前記通路形成部材は、前記排出口に連通する出口部を備え、
前記出口部において遊技球が転動する転動面が、前記排出口の下縁部よりも上方に配置されることを特徴とする請求項１〜５の何れか一項に記載の遊技機。
【発明の詳細な説明】
【技術分野】
【０００１】
本発明は遊技機に関し、特に、いわゆるセブン機、羽根物、権利物又はアレンジボール等の弾球遊技機に関する。
【背景技術】
【０００２】
例えば、弾球遊技機は、（１）設置部位（パチンコホールの島設備に設けられる設置部位等）に設置される外枠と、（２）外枠の左右方向に沿った一側に、開放動作が可能な状態で装着される本体枠（中枠と称することもある。）と、（３）この本体枠の保持部によって、前面部（表面部）を遊技者の方向（つまり、前方）に向けた状態で、しかも、着脱自在な状態に保持される遊技盤と、（４）遊技盤の前面部を覆う透明板（通常、ガラス板によって構成される。）を具備し、本体の前面部側に開放動作が可能な状態で装着される表扉部材（ガラス扉枠、若しくは、前面枠と称することがある。）と、（５）遊技機内から排出される遊技球を貯留するための上皿本体を備えると共に、本体枠の前面部側のうちで、表扉部材の装着位置よりも下方側の部位に、開放動作が可能な状態で装着される上皿部材と、（６）遊技機内から排出される遊技球を貯留するための下皿本体を備えると共に、本体枠の前面部側のうちで、上皿部材の下方の部位に配置される下皿部材等を備えている。
【０００３】
この遊技盤の前面部には、通常、２本の「金属製レール（つまり、外側レールと内側レール）」が、一方の側縁部を当接させ、しかも、略円弧状に湾曲されつつ、前方に突出する状態に配置される。つまり、遊技盤の前面部には、（Ａ）長尺で金属製の帯状板を、開口部を下方若しくは側方に向けた略円弧形状（Ｃの字状）としつつ配置して構成される外側レールと、（Ｂ）外側レールの配置箇所の内側において、長尺で金属製の帯状板を、開口部を上方に向けた略円弧形状（Ｃの字状）としつつ配置して構成される内側レールと、が配設される。
【０００４】
この遊技盤の前面部において、外側レールと内側レールとが略円形、略楕円形、若しくは、長円形等に略取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、図柄表示装置、障害釘等が配設されている。尚、図柄表示装置としては、画像表示装置を例示できる。この画像表示装置は、遊技に関連する画像を表示するための表示装置であって、例えば、液晶表示装置によって構成される。
【０００５】
また、本体枠の後面部には、所謂「裏機構盤」が配設されている。この裏機構盤は、各種の基板（主制御基板、演出制御基板、電源ターミナル基板、端子基板、払出制御基板等）と、遊技球タンクと、払出装置（以下、「賞球払出装置」と称することもある。）と、誘導樋（払出装置から払い出される遊技球を上皿部材等に向かって誘導する誘導樋）と、下皿部材用球通路部材（上皿部材でオーバーフローする遊技球、つまり、「溢れ球」を、下皿部材に誘導するための部材）等を備えている。
【０００６】
更に、上皿部材は、後方に突出する略筒に構成される球受入部を備えると共に、この球受入部に連通する上皿導入口を、上皿本体の内壁面で開口させている。また、本体枠の前面部において上皿部材の後面部と対向する部位には、誘導手段で誘導された遊技球を、本体枠の前方に排出するための上排出口が開口している。そして、上皿部材が閉鎖状態とされると、球受入部と上排出口とが連通状態とされる。また、この閉鎖状態にある上皿部材に開放動作を施して、上皿部材を開放状態とすると、球受入部の突端部（開口部）と上排出口とが離間して、球受入部と上排出口との連通状態が解除される。
【０００７】
また、本体枠の前方であって、遊技盤の下方の部位には、発射装置と、左上がり傾斜状の発射レールとが配置されている。そして、この弾球遊技機においては、発射ハンドルを用いて発射装置を操作すると、この発射装置から遊技球が打ち出される。そして、この打ち出された遊技球が、発射レールに沿って上昇し、更に、誘導通路を経て遊技盤の左上部に導かれる。この遊技球は、内側レールの左上端部と、外側レールの左上端部との間に形成される入口部を通じて遊技領域内に放出され、この遊技領域を流下する。そして、この流下する遊技球が、各種の入賞装置に入賞すると、払出装置から所定数の遊技球が払い出され、誘導手段等を介して、本体枠の前方側に排出（賞球）される。
【０００８】
特に、遊技機の遊技状態が「大当り遊技状態」に移行すると、「大入賞装置」の状態が、所定の態様に従って、「遊技球を受け入れ可能な状態」、若しくは、「遊技球を受け入れ容易な状態」に変化し、「大入賞装置」への入賞が可能となったり、容易となるため、多量の遊技球が、払出装置から所定数の遊技球が払い出されることになる。つまり、この種の弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う判定結果表示手段と、を備えている。
【０００９】
この「判定結果表示手段」によって、大当り表示（当否判定の結果が、大当りであったことを示す表示）がなされると、遊技機の遊技状態が「通常遊技状態」から「大当り遊技状態」に移行する。そして、遊技機の遊技状態が「大当り遊技状態」に移行すると、「大入賞装置」の状態が、所定の態様に従って、「遊技球を受け入れ可能な状態」、若しくは、「遊技球を受け入れ容易な状態」に変化する。尚、（ａ）専用の表示装置（前述の画像表示装置とは別の表示装置の意味で用いる。）、若しくは、（ｂ）前述の画像表示装置が、「判定結果表示手段」として機能してもよいし、（ｃ）専用の表示装置及び画像表示装置の双方が、「判定結果表示手段」として機能してもよい。
【００１０】
ここで、上皿本体が、「遊技機内から排出された遊技球」で満杯となると、誘導樋手段が、上皿本体から溢れる遊技球（前述の「溢れ球」）で満たされてくる（誘導手段の下流端の側から徐々に満たされてくる。）が、この場合、上皿部材の上流側（例えば、誘導手段や払出装置等）において「球詰まり」を発生することがある。そして、かかる「球詰まり」を発生すると、通常、「パチンコホールの店員（以下、「店員」という。）」が上皿部材を開放状態とし、「球詰まり」を解消するための作業（以下、「解消作業」という。）を行う。
【００１１】
しかし、「解消作業」のために上皿部材を開放状態とすると、球受入部と上排出口との連通状態が解除されるため、誘導樋手段内に存在する遊技球が、上排出口から排出され、上排出口の前方に零れ落ちる（以下、このように、上排出口の前方に零れ落ちる遊技球を「零れ球」という。）ことになる。そして、この「零れ球」が、遊技機の前方に落下して、「当該遊技機における遊技球の誘導ルート」から外れることがある。尚、「零れ球」のうちで、「当該遊技機自身によって回収されず、当該遊技機における遊技球の誘導ルートから外れるもの」を、以下の説明において、「脱落球」と称することがある。
【００１２】
このように、「脱落球」を生ずると、店員や遊技者自身が、「脱落球」を拾い集める」という「煩わしい作業」を行うことが必要である。このため、かかる作業を回避すること意図して、上皿部材が開放状態とされたときに、「上排出口の端末部（下流側の端部）をせき止めるように突出するバネ部材を、上排出口の端末部に対して装着した遊技機」が提案されている（特許文献１を参照、以下「従来例」という。）。
【特許文献１】特許第２８０４４７０号公報
【発明の開示】
【発明が解決しようとする課題】
【００１３】
この従来例によると、前述の「解消作業」が煩雑となるおそれがある。つまり、払出動作を実行中の払出装置が、その動作（具体的には、払出装置を構成する払出モータの駆動）を停止するケースには、「球詰まり」が原因となるケース（以下、「前者のケース」という。）と、払出モータの故障等が原因となるケース（以下、「後者のケース」という。）とがある。そして、「前者のケース」では、前述の「解消作業」によって、「球詰まり」を解消し、誘導樋手段内の遊技球が本体枠の前方側（上皿部材や下皿部材の側）にスムーズに排出されると、払出装置は、その駆動を再開する。また、「後者のケース」では、払出モータを修理したり、交換することによって、払出装置は、その駆動を再開する。
【００１４】
しかし、前述の従来例によると、店員が、「前者のケースを発生した」と判断して、「解消作業」を試みた場合、以下のような問題を生ずる可能性がある。つまり、前述の「解消作業」によって、実際に「球詰まり」を解消していても、上皿部材が開放状態ままであると、誘導樋手段内の遊技球は、バネ部材によってせき止められた状態となる。そして、上皿部材が閉鎖状態とされると、誘導樋手段内の遊技球は、ようやく、本体枠の前方側（上皿部材等）に向けて排出される。
【００１５】
一方、上皿部材の開放中に行った「解消作業」が的外れで、実際に、「球詰まり」を解消できいていない場合等には、上皿部材を閉鎖状態に戻しても、誘導樋手段内の遊技球は、いっこうに、本体枠の前方側（上皿部材等）に排出されない。また、店員の判断が当初より的外れの場合、つまり、払出装置の停止原因が、「球詰まり」以外の原因（払出モータの故障等）である場合にも、「解消作業」の後、上皿部材を閉鎖状態に戻しても、誘導樋手段内の遊技球は、本体枠の前方側（上皿部材等）に排出されない。
【００１６】
即ち、前述の従来例によると、例えば、定員が「球詰まりの解消を意図する作業」を行った場合において、上皿部材を一端、閉鎖状態としなければ、実際に、「解消作業」が適切であったか否かを確認することができない。換言すると、上皿部材の開放中に行った「解消作業」が的外れで、実際に、「球詰まり」を解消できいていない場合には、上皿部材を再び、開放状態として、「解消作業」を行うことが必要となる。そして、この「解消作業」と、上皿部材の開閉は、「球詰まり」が実際に解消されるまで、繰り返されることになる。このため、前述の従来例によると、「球詰まり」を生じた場合、「解消作業を行う店員」にとって煩わしいばかりか、「長時間に渡って遊技を中断しなければならない可能性の遊技者」にとっても、煩わしい。
【００１７】
本発明は、このような問題を解決するためになされたものであり、その目的とするところは、「零れ球」を的確に処理しつつも、「球詰まりの解消作業」に代表される「保守作業」を、より迅速に実行可能な遊技機を提供することである。
【００１８】
本発明の他の目的は、簡易な構造を備えつつも、「零れ球」の的確な処理を行うことができる遊技機を提供することである。
【００１９】
本発明の他の目的は、簡易な構造を備えつつも、本体枠の後方の空きスペースを拡大できる遊技機を提供することである。
【００２０】
本発明の更に他の目的は、「零れ球」等の的確な処理を行いつつ、不正行為を効果的に防止できる遊技機を提供することである。
【課題を解決するための手段】
【００２１】
請求項１に記載の遊技機は、
遊技盤が装着されると共に、払出装置と該払出装置から払い出される遊技球を誘導する誘導手段とが後方に配設された本体枠と、
上皿本体を備え、前方への開放動作を実行可能な状態で前記本体枠の前面部側に装着され、球受入部を後方に突出させた状態に備えると共に、該球受入部で受け入れた遊技球を、前記上皿本体に導入するための上皿導入口を具備する上皿部材と、
下皿本体を備え、前記上皿部材の下方に配置されると共に、該下皿本体に遊技球を導入するための下皿導入口を具備する下皿部材と、
を備え、
前記本体枠の前面部において前記上皿部材の後面部と対向する所定の部位に、前記誘導手段で誘導された遊技球を、前記本体枠の前方に排出するための上排出口を開口させ、前記上皿部材が閉鎖状態とされると、前記球受入部と前記上排出口とが連通状態とされ、前記上皿部材が開放状態とされると、前記球受入部と前記上排出口との連通状態が解除される遊技機であって、
前記本体枠において前記上排出口の下方の部位を含む位置に、前面部が前記上排出口の形成位置よりも前方に配置されると共に、前方に窪みつつ後方に開口する収納用凹部を形成する収納部が設けられ、
前記収納部の上面部であって前記上排出口の下方に位置する部位に、前記上排出口から零れ出る遊技球を、回収するための零れ球回収口が貫通状に設けられ、
前記零れ球回収口で回収した遊技球を、前記下皿導入口の方向に導くための下皿排出通路を備える通路形成部材が前記収納用凹部に装着され、
前記収納部において前記零れ球回収口の前方の所定の箇所に対して、弾性部材を用いて構成される脱落防止部材が配置され、
前記脱落防止部材は、
前記上皿部材が閉鎖状態とされると、前記球受入部の底面部によって下方に圧迫され、弾性変形すると共に、前記上皿部材が開放状態とされると、前記圧迫が解除され、前記上排出口の前方に対向する位置に突出することを特徴とする。
【００２２】
請求項１の発明によると、上皿部材が開放状態とされたときに、上排出口の前方（前方であって、斜め下方の位置）に零れ球回収口が存在すると共に、脱落防止部材が上排出口の前方に対向する位置に突出する（例えば、零れ球回収口の前方で起立状態となる）。つまり、上排出口の途中や端末部等に、「零れ球」を、せき止めるような部材が存在しないため、「零れ球」が、零れ球回収口によって円滑に回収される可能性が高い。但し、「零れ球」の中には、零れ球回収口を前方に飛び越えようとしたり、通路形成部材でバウンドし、零れ球回収口から上方に飛び出そうとするものも存在するが、脱落防止部材が、これらの「零れ球」を零れ球回収口に導くように作用することができる。（尚、脱落防止部材が、零れ球を回収口に導くことができる確率は、必ずしも、「１００パーセント」である必要はない。）
【００２３】
即ち、請求項１の発明の遊技機によると、上皿部材が開放状態にあるときに、脱落防止部材を有効に機能させつつ、零れ球を下皿部材に向かって順次、排出することができる。このため、例えば、「球詰まりの解消作業」等を行う場合において、問題点が解消されれば（例えば、球詰まりが解消されれば）、上皿部材を開放状態としたまま、誘導樋手段内の遊技球を、上排出口、零れ球回収口、下皿排出通路、下皿部材等の順に通過させることができる。つまり、上皿部材を開放したままの状態で、保守作業（球詰まりの解消作業等）を、完了したか否かを確認できる。従って「零れ球」の的確な処理を行いつつも、「球詰まりの解消作業」等の保守作業を、より迅速に実行可能である。
【００２４】
また、請求項１の発明では、「自己の弾性」を用いて、「上排出口の前方に対向する位置から退避する状態（退避状態）」と、「上排出口の前方に対向する位置から出現する状態（出現状態）」と、の間で状態を変化させる弾性部材を用いて脱落防止部材を構成する。つまり、簡易な構造の脱落防止部材を用いて、「零れ球」の的確な処理を行うことができる。
【００２５】
更に、請求項１の発明では、収納部（本体枠）に収納用凹部を形成すると共に、この収納用凹部に装着される通路形成部材を用いて、零れ球を下皿部材に導くための通路（下皿排出通路）を構成する。つまり、本体枠の後方に、「零れ球を下皿部材に導く通路（下皿排出通路）を形成するための専用の部材（例えば、前述の下皿部材用球通路部材）」を配設する必要がないため、本体枠の後面部の後方の空きスペースを拡大できる。従って、例えば、この拡大された空きスペースに、大型の「遊技機用部品（基板類、大型の液晶表示装置等）」を積極的に設置したり、遊技機の前後方向幅の縮小を図ること（換言すると、遊技機の設置スペースの省スペース化を図ること）等が可能となる。
【００２６】
更に、請求項１の発明では、溢れ球の通路を構成するための部材（つまり、通路形成部材）を、本体枠の後面部において開口する収納用凹部に装着するため、通路形成部材と、本体枠との間の隙間を、遊技機の前方から視認することが不可能、若しくは、困難となる。つまり、前述の大入賞装置のような「開閉式の入賞装置（以下、「可変入賞装置」という。）を備える遊技機においては、不正行為の対象となることがある。
【００２７】
例えば、不正行為者が、「遊技機を構成するための部品（以下、遊技機部品という。）」間に存在する隙間を通じて、遊技機の内部に、ピアノ線や針金のような部材（以下、「不正部材」という。）を差し込む。そして、この不正部材の先端部を遊技領域に到達させ、この先端部を用いて可変入賞装置等の開閉式の入賞装置を無理に開放させ、この可変入賞装置等に遊技球を不正に入賞させる、という不正行為が行われることがある。このため、「遊技機部品」の隙間が、その前面部で、多数、露呈する遊技機は、その隙間の幅がたとえ、僅かであっても、不正行為の対象となり易いことになる。
【００２８】
これに対して、請求項１の発明では、通路形成部材と、本体枠との間の隙間を、本体枠の後面部側に配設し、遊技機の前面部で露呈する隙間の数量を少なくする。このため、請求項１の発明によると、「零れ球」等の的確な処理を行いつつ、不正行為を効果的に防止できる遊技機が得られる。
【００２９】
各請求項の発明において、収納部の形成箇所は、（ａ）本体枠において「上排出口よりも下方に位置する部位」のみから選択されてもよいし、（ｂ）本体枠において「上排出口よりも下方に位置する部位を含む部位」から選択されてもよい。つまり、「上排出口の前方であって下方の位置」に、零れ球回収口を形成可能であれば、収納部の形成箇所は特に問わない。例えば、収納部が、「零れ球回収口」以外に「遊技球の回収部（後述する請求項２の溢れ球回収部や球抜き用回収部等）」を備える場合、この回収部は、上排出口よりも上方に設けられてもよいからである。
【００３０】
各請求項の発明において、「通路形成部材」の構成を種々選択でき、例えば、（１）略箱状（ボックス状）の通路形成部材、（２）略蓋状の通路形成部材等を例示できる。尚、（２）略蓋状の通路形成部材としては、収納用凹部の蓋部として機能する蓋本体部と、蓋本体部から突出しつつ遊技球の通路（例えば、下皿排出通路）を形成する壁部（リブ）と、を備える通路形成部材等を例示できる。尚、通路形成部材の収納用凹部への装着方法としては、例えば、嵌合、係合、ネジ止め、溶接、接着、若しくは、これらの装着方法を複数、用いる装着方法（例えば、嵌合と係合）等を例示できる。
【００３１】
「脱落防止部材」の具体的な構成も種々選択でき、例えば、線形のバネ部材や、板状のバネ部材を用いるものを例示できる。また、「脱落防止部材」が実行する「弾性変形」の態様も種々選択でき、例えば、球受入部の底面部によって下方に圧迫され、零れ出防止部材の付勢力に対抗しつつ傾動状態すると共に、圧迫が解除され、付勢力によって排出口の前方に対向する位置で起立状態となる態様を例示できる。尚、この傾動状態としては、「バネ部材が遊技機の後方に傾動する状態」を例示できると共に、傾動時のバネ部材が湾曲しているか否かを特に問わない。
【００３２】
尚、この「脱落防止部材」が発生させる弾発力（球受入部の底面部によって下方に圧迫され、弾性変形したときに生ずる弾発力）が、十分な大きさである場合、この「脱落防止部材」によって「上皿部材の開閉操作の利便性」を向上させることができる。つまり、上皿部材を閉鎖状態とする場合（本体枠に対して閉鎖状態とする場合）、上皿部材は、本体枠若しくは外枠に装着された施錠装置によって施錠される。そして、「脱落防止部材」の弾発力が十分であれば、上皿部材が閉鎖状態にあるときに、「脱落防止部材」が、上皿部材（球受入部）を前方に押圧することになる。
【００３３】
そして、施錠装置に解錠操作を施すと（上皿部材を解錠するための操作を施すと）、「脱落防止部材」によって、上皿部材（球受入部）が前方（上皿部材を開放する方向）に押され、上皿部材（球受入部）が、僅かに開放された状態となる。このため、店員等は、この上皿部材（球受入部）を開放する作業を円滑に行うことができる。また、「店員等が施錠装置に施錠操作を施したつもりであったが、実際には、上皿部材が施錠されていなかった場合」や、「店員等が施錠装置に施錠操作を施することを忘れた場合」等にも、上皿部材（球受入部）が「脱落防止部材」によって僅かに開放された状態となる。つまり、「脱落防止部材」によって、施錠（上皿部材の施錠）の確実性を担保できる。
【００３４】
ここで、各請求項の発明の遊技機は、例えば、（１）設置部位に設置される外枠と、（２）外枠の左右方向に沿った一側に、開放動作が可能な状態で装着される本体枠と、（３）この本体枠の保持部によって、前面部を遊技者の方向に向けた状態で、しかも、着脱自在な状態に保持される遊技盤と、（４）遊技盤の前面部を覆う透明板（通常、ガラス板）を具備し、本体枠の前面部側に開放動作が可能な状態で装着される表扉部材（ガラス扉枠、若しくは、前面枠と称することがある。）と、（５）本体枠の前面部側のうちで、表扉部材の装着位置よりも下方側の部位に、開放動作が可能な状態で装着される上皿部材と、（６）本体枠の前面部側のうちで、上皿部材の下方の部位に配置される下皿部材等を備えている。尚、下皿部材は、通常、本体枠に対して開閉不可能とされ、本体枠と一体で、外枠に対して開閉可能とされる。また、払出装置と誘導手段は、通常、本体枠の後面部に装着される機構盤（裏機構盤）に組み込まれる。
【００３５】
また、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、表扉部材（前面枠）、上皿部材、下皿部材等の扉状部材の「左」、「右」、「前」、「後」等は、これらの扉状部材が使用状態にある場合、つまり、閉鎖された状態にある場合を基準としたものである。
【００３６】
請求項２に記載の遊技機は、請求項１に記載の遊技機において、
前記収納部には、前記上皿部材に貯留される遊技球が上限量に到達した場合に、前記上皿部材から溢れ出る遊技球を回収するための溢れ球回収部と、前記上皿部材に貯留された遊技球を球抜きして回収するための球抜き用回収部と、が形成され、
前記通路形成部材には
前記溢れ球回収部で回収された遊技球を前記下皿導入口の方向に導くための溢れ球回収通路と、前記球抜き用回収部で回収された遊技球を前記下皿導入口の方向に導くための球抜き用回収通路と、
が設けられることを特徴とする。
【００３７】
請求項２の発明によると、下皿排出通路と、溢れ球回収通路と、球抜き用回収通路と、を通路形成部材に集約配置できる。つまり、遊技球を下皿部材に排出するための３つの通路（下皿排出通路と、溢れ球回収通路と、球抜き用回収通路）を本体枠の特定の一カ所（例えば、本体枠において、上排出口よりも下方に位置する一カ所）に集約配置できるので、遊技領域の拡大や遊技機裏面側における各種部品の設置スペースの拡大が可能となる。また、遊技機が、画像表示装置（液晶表示装置）を備える場合には、その表示画面の拡大を図ることもできる。
【００３８】
また、請求項２の発明によると、「下皿排出通路を構成する部材」ばかりか、「溢れ球回収通路を構成する部材」及び「球抜き用回収通路を構成する部材」も、本体枠の前面部側に配置しない構成を採用する。換言すると、遊技球を下皿部材に排出するための３つの通路を構成する部材（つまり、通路形成部材）を、本体枠の後方において開口する収納用凹部に装着するため、前述の不正行為（不正部材を遊技領域に到達させて行う不正行為）が、より一層、行い難くなる。
【００３９】
尚、請求項２の発明においては、通路形成部材に、３つの通路（下皿排出通路と、溢れ球回収通路と、球抜き用回収通路）以外の他の通路（例えば、ファール球を回収するための通路）を備えてもよい。また、請求項２の発明では、通路形成部材の各通路が、単一の出口部（下皿導入口の方向に導くための出口部）を備えていることが望ましい。かかる場合、通路形成部材のコンパクト化を図ることができるからである。
【００４０】
請求項３に記載の遊技機は、請求項１又は２に記載の遊技機において、
前記通路形成部材において、前記零れ球回収口と、前記下皿排出通路を構成する通路壁の上面部と、の上下方向に沿った中間の位置に対して衝撃吸収壁を設けたことを特徴とする。
【００４１】
請求項３の発明によると、零れ球回収口を通じて通路形成部材に回収される（進入する）遊技球（つまり、「零れ球」）は、一端、衝撃吸収壁に衝突した後に、下皿排出通路（つまり、下皿排出通路を構成する通路壁の上面部）に到達する。即ち、零れ球回収口を通じて通路形成部材に回収される遊技球（零れ球）は、一端、衝撃吸収壁に衝突することで、その勢い（落下速度）が弱まる。このため、請求項３の発明によると、この遊技球（零れ球）が、下皿排出通路（つまり、下皿排出通路を構成する通路壁の上面部）に衝突することによって生ずる「衝突音」や「衝撃」を小さくできる。
【００４２】
尚、衝撃吸収壁を設けると、一端、通路形成部材に進入した遊技球（零れ球）が、衝撃吸収壁でバウンドし、零れ球回収口から上方に飛び出す可能性も存在するが、この場合も、脱落防止部材が、これらの「零れ球」を零れ球回収口に導くように作用することができる。つまり、「請求項３の通路形成部材に衝撃吸収壁を付加することによって生ずる可能性のある不具合」を、脱落防止部材によって生じ難くすることができる。
【００４３】
請求項３の発明においては、「衝撃吸収壁」の形成態様を種々選択できる。例えば、通路形成部材の左右一方向に下り傾斜となる傾斜壁として構成することもできる。この場合、例えば、衝撃吸収壁の左右方向幅が十分であると、衝撃吸収壁の上面部に落下した遊技球（零れ球）は、暫し、衝撃吸収壁の上面部を転動した後、下皿排出通路（つまり、下皿排出通路を構成する通路壁の上面部）に落下する。そして、このように、衝撃吸収壁の上面部を転動する際に、摩擦抵抗によって、遊技球（零れ球）の勢いが弱められるため、前述の「衝突音」や「衝撃」をより一層、小さくすることができる。
【００４４】
請求項４に記載の遊技機は、請求項１〜請求項３の何れか１項に記載の遊技機において、
前記溢れ球回収部の前方の位置に対して、前記溢れ球回収部を覆う不正防止壁を形成したことを特徴とする。
【００４５】
請求項４の発明では、通路形成部材において溢れ球回収するための部位を不正防止壁によって、前方から隠蔽する。このため、この「溢れ球回収するための部位」から不正部材を侵入されて行う不正行為を防止したり、行い難くできる。尚、請求項４の発明では、不正防止壁を、本体枠と別体で構成しても、一体的に構成してよい。特に、収納部と一体となるように構成することが望ましい。
【００４６】
請求項５に記載の遊技機は、請求項１〜請求項４の何れか１項に記載の遊技機において、
前記脱落防止部材は、線形のバネ部材を用いて構成されることを特徴とする。
【００４７】
請求項５の発明では、脱落防止部材を線形のバネ部材を用いて構成するため、脱落防止部材の弾性変形が円滑に行われる。尚、請求項５の発明においては、線形のバネ部材が略円形、若しくは、楕円形等の断面を備えることが望ましい。蓋し、球受入部は、樹脂を用いて構成される可能性が高いが、バネ部材が丸みを帯びた外周面を備えると、この球受入部にキズを生じ難いと共に、バネ部材に対して球受入部がスムーズに摺動し、バネ部材の弾性変形がより一層、円滑に行われるからである。
【００４８】
請求項５の発明の「脱落防止部材」の具体的な構成は種々選択でき、例えば、「門型の線形のバネ部材を用いて構成される脱落防止部材」を例示できる。この「脱落防止部材」は、例えば、収納部において前記零れ球回収口の前方の所定の箇所において、上方に突出する「片持ち梁状」に配置される。この場合、上皿部材を閉鎖状態とすると、脱落防止部材は、上皿部材の底面部によって下方に圧迫され、後方に撓む（後方に傾動する）。一方、上皿部材を、閉鎖状態から開放状態に移行させると、脱落防止部材は、「上皿部材の底面部による圧迫」から解除され、上方に突出する状態となる。
【００４９】
請求項６に記載の遊技機は、請求項１〜５の何れか一項に記載の遊技機において、
前記収納部は、前記下皿導入口の方向に向かって遊技球を排出するための排出口を備え、前記通路形成部材は、前記排出口に連通する出口部を備え、
前記出口部において遊技球が転動する転動面が、前記排出口の下縁部よりも上方に配置されることを特徴とする。
【００５０】
請求項６の発明によると、「下皿導入口を用いた不正行為」を行い難くできる。つまり、請求項６の発明では、転動面が、排出口の下縁部よりも上方に配置される。よって、下皿導入口から不正部材を侵入させても、この不正部材の先端部は、「通路形成部材において、転動面の下方に位置する部位」に衝突し、その行く手を遮られる可能性が高いからである。
【００５１】
次に、各請求項の発明に関連する発明（以下、「関連発明という。）について説明する。
【００５２】
関連発明１に係る遊技機は、「請求項１〜６の何れか一項に記載の遊技機において、
所定の画像を表示するための表示画面を有する画像表示装置を具備し、遊技盤を前方板状部材と、後方板状部材とを前後に積層して構成すると共に、
前記後方板状部材が表裏を貫通する状態の貫通部を具備し、前記前方板状部材のうちの少なくとも前記貫通部の前方に位置する部位が透明部とされ、
前記表示画面を、前記貫通部によって前記遊技盤の前方から視認可能な状態とつつ、前記画像表示装置を前記裏側板状部材の後方に配置したこと」を特徴とする。
【００５３】
関連発明１は、請求項２の発明との関連において、特に意義を有している。つまり、請求項２の発明によると、前述のように、「遊技球を下皿部材に排出するための３つの通路を本体枠の特定の一カ所に集約配置できるので、遊技機に大型の画像表示装置（つまり、表示画面が大型の画像表示装置）を装着することが容易である。そして、関連発明によると、「後方板状部材の後方に、大型の表示画面を備える大型の画像表示装置」を配置すると共に、透明部を透かした状態で、この「大型の表示画面」を視認可能な遊技機」を得ることができる。
【００５４】
ここで、関連発明１においては、前方板状部材において透明部とされる部位を種々選択できる。例えば、前方板状部材のうちで、貫通部の前方に位置する部位（貫通部の前方に位置合わせされる部位）のみが透明部とされてもよいし、貫通部の前方に位置する部位及びその周辺の部位（例えば、遊技領域の内側に位置する部位の全域）が、透明部とされてもよいし、前方板状部材の全域が、透明部とされてもよい。ここで、前方板状部材を構成する透明部の構成態様を種々選択できる。例えば、アクリル樹脂製の板、ポリカーボネート樹脂製の板等で構成する態様を例示でできる。
【００５５】
関連発明２の遊技機は、関連発明１の遊技機において、「画像表示装置を、後方板状部材の裏面部に固着すること」を特徴とする。
【００５６】
関連発明３の遊技機は、関連発明１又は関連発明２の遊技機においては、「前記貫通部の横方向に沿った幅（Ｐ）と、前記遊技領域の横方向に沿った幅（Ｑ）の比（Ｐ／Ｑ）が、４／１０〜９／１０のうちの何れかとされ、
前記貫通部の縦方向に沿った幅（Ｒ）と、前記遊技領域の縦方向に沿った幅（Ｓ）の比（Ｒ／Ｓ）が、４／１０〜９／１０のうちの何れかとされる」ことを特徴とする。
【００５７】
この関連発明３の遊技機によると、貫通部のサイズの好適化を図ることで、（１）「遊技盤の前方から貫通部を通じて視認される表示領域部（画像表示装置の表示画面）のサイズを大型すべき旨の要請」と、（２）「画像表示装置を、後方板状部材の裏面部に安定的に固着すべき旨の要請」と、を同時に満足されることができる。つまり、関連発明３では、貫通部のサイズの下限値を規制し、貫通部を大型化するため、「遊技盤の前方から貫通部を通じて視認される表示画面」のサイズの大型化を図り、遊技者の遊技上の興趣を高めることができる。同時に、貫通部のサイズの上限値を規制し、後方板状部材の裏面部において貫通部の周辺に位置する部位に、十分なサイズの「被固着箇所（画像表示装置が固着される箇所）」を確保するため、画像表示装置を、後方板状部材の裏面部に安定的に固着することができる。
【発明の効果】
【００５８】
以上記述したように、各請求項の発明によると、「零れ球」を的確に処理しつつも、「球詰まりの解消作業」等に代表等される保守作業を、より迅速に実行可能な遊技機が得られる。
【発明を実施するための最良の形態】
【００５９】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００６０】
（１）機械的な構造
ａ．遊技機の全体構造
先ず、この遊技機１の全体構造について、図１〜図２６を参照して説明する。この遊技機１は、図１及び図２に示すように、外枠２と、この外枠２に装着された遊技機本体Ｈと、を備えている。このうち、外枠２は、図３に示すように、パチンコホールの島設備Ｓに設けられた設置部位Ｓ１に固定されると共に、遊技機本体Ｈを支持するためのものである。
【００６１】
この外枠２は、略矩形状の枠状体によって構成される外枠本体２１（図１及び２を参照）と、外枠本体２１の前面下部を覆う前板部２２と、を備えている。このうち、外枠本体２１は、上下に一対の水平板２１ａと、左右に一対の立設板２１ｂと、を備えている（図１を参照）。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００６２】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、本体枠３と、前面枠（ガラス扉枠）４と、上皿部材５と、下皿部材６と、遊技盤１０（図２６を参照）と、裏機構盤１０２（図３２を参照）等を主要部としている。
【００６３】
本体枠３は、全体がプラスチック製であり、図４〜図７に示すように、枠状体によって構成されている。この本体枠３は、図５〜図７に示すように、前面部３ａ側に位置する枠本体部３Ｈと、枠本体部３Ｈの後面部（裏面部）から略矩形枠状に突出する突出部３Ｔとを備える。そして、枠本体部３Ｈを外枠２の前方に露呈させ、突出部３Ｔを外枠２の内側に嵌め込みつつ、外枠２に対して開閉可能に軸支されている（図３及び図４を参照）。また、突出部３Ｔは、図５及び図７に示すように、枠本体部３Ｈの上端縁側において後方に突出する上壁部３Ｕと、枠本体部３Ｈの下端縁側において後方に突出する下壁部３Ｄと、枠本体部３Ｈの右端縁側において後方に突出する右壁部３Ｒと、枠本体部３Ｈの左端縁側において後方に突出する左壁部３Ｌとを、略矩型の枠形状に組み合わせた構成を備える。尚、本体枠３の右端側には、施錠装置７が装着されている（図１参照）。この施錠装置７は、本体枠３を外枠２に施錠したり、前面枠４や上皿部材５を本体枠３に施錠するために用いられる。
【００６４】
図４〜図６に示すように、枠本体部３Ｈの上半部に窓部３Ａを、前後に貫通する状態に設けられている。また、図５及び図６に示すように、枠本体部３Ｈの後面部（裏面部）のうちで、枠本体部３Ｈの周縁部よりも内側であって、窓部３Ａよりも外側の部位から突出している。そして、突出部３Ｔの内側の壁面部３ｄと、枠本体部３Ｈの裏面部のうちの窓部３Ａに周辺に位置すると共に壁面部３ｄよりも内側に位置する部位（以下、「窓部周辺部」という。）３ｅとが、略直交する状態とされる。
【００６５】
図５に示すように、突出部３Ｔの突端面であって、窓部３Ａの左方側の上下と、窓部３Ａの右方側の上下には、保持具３ｆが装着されている。この保持具３ｆは、突出部３Ｔの突端面に軸心を略直交させた軸部材３ｇと、この軸部材３ｇによって支持された保持具本体３ｈとを備えている。この保持具本体３ｈは、軸部材３ｇの軸心回りに回転可能な状態とされ、その突端部３ｉ側を、窓部周辺部３ｅの後方に出没させることができる。つまり、保持具本体３ｈは、軸部材３ｇの軸心回りに回転することで、突端部３ｉ側を窓部周辺部３ｅの後方に配置させる保持状態（図５等を参照）と、突端部３ｉ側を窓部周辺部３ｅの後方から退避させる解除状態と、を実現することができる。
【００６６】
本実施例では、突出部３Ｔの内側の壁面部３ｄと、枠本体部３Ｈの「窓部周辺部」３ｅとで、「遊技盤１０を保持するための保持部（３ｄ、３ｅ）」を構成し、保持具３ｆによって遊技盤１０（詳細は後述する。）の保持状態を維持している。つまり、図６（ａ）〜（ｄ）に示すように、遊技盤１０（詳細は後述する。）は、前面部１０ａを前方に向けた状態（後面部１０ｂを後方に向けた状態）で、保持部（３ｄ、３ｅ）に装着される。尚、この装着作業の際、保持具本体３ｈは解除状態とされる。そして、この装着により、遊技盤１０の前面部１０ａにおける上縁側の部位が、窓部周辺部３ｅにおいて、窓部３Ａの上方に位置する部位に当接する。また、遊技盤１０の前面部１０ａにおける右側縁側の部位が、窓部周辺部３ｅにおいて、窓部３Ａの右側方（本体枠３を前方から見た場合の右側方）に位置する部位に当接し、遊技盤１０の前面部１０ａにおける左側縁側の部位が、窓部周辺部３ｅにおいて、窓部３Ａの左側方（本体枠３を前方から見た場合の左側方）に位置する部位に当接する。
【００６７】
この際、遊技盤１０の左右の側部に設けられた段部１０ｃが、位置決め用段部３ｍに嵌合し（図７を参照）、遊技盤１０が、保持部（３ｄ、３ｅ）に位置合わせされる。この保持具本体３ｈを保持状態とすると、この保持具本体３ｈによって、遊技盤１０の保持部（３ｄ、３ｅ）からの抜け止めが図られる｛図６（ｃ）及び（ｄ）を参照｝。これにより、遊技盤１０が、保持部（３ｄ、３ｅ）に保持される。そして、このように、本体枠３が遊技盤１０を保持したとき、「遊技盤１０の前面部１０ａに構成される遊技領域１１」を、窓部３Ａによって、本体枠３の前方から視認することができる（図２６を参照）。また、遊技盤１０の背面部には、裏機構盤１０２（図３２参照）が装着され、この背面部を覆う状態とされている。尚、図示を省略するが、遊技盤１０の本体枠３に対する位置決めは、遊技盤１０及び本体枠３のうちの一方に設けられた突部を、他方に設けられた嵌合部（孔や凹部）に嵌合して行うことができる。また、裏機構盤１０２の詳細に関しては後述する。
【００６８】
図４に示すように、本体枠３の下半部には、上排出口３５と、取付孔３６と、収納部３８と、が設けられている。このうち、上排出口３５は、後述する払出球誘導樋１２０（誘導手段）によって誘導される遊技球を、本体枠３の前方に排出するために用いるもの（排出孔）であり、本体枠３の下半部のうちで、左上端側に位置する部位において、前後に貫通する状態に設けられている。また、取付孔３６は、後述する発射ユニットを本体枠３に装着するために用いる孔であり、本体枠３の下半部のうちで、右下端側に位置する部位において、前後に貫通する状態に設けられている。
【００６９】
収納部３８は、図４に示すように、本体枠３の下半部において、上排出口３５であって、取付孔３６と、本体枠３の左端部と、本体枠３の下端部とによって囲まれた広範囲な箇所に設けられている。つまり、この収納部３８は、その前方壁（前面部）３８ａを上排出口３５の形成位置よりも前方に配置すると共に、裏側（後方側）に収納用凹部３８ｃを形成している（図１０等を参照）。この収納用凹部３８ｃは、本体枠３の前方に窪みつつ、後方に開口している。
【００７０】
この収納部３８の上壁部（上面部）は、図４に示すように、左から右に下る段差状とされている。そして、上壁部３８ｄのうちで、左側に位置するもの（以下、「第１の上壁部３８ｅ」という。）は、上排出口３５の「前方で、しかも、下方に位置する箇所」に設けられ、右側に位置するもの（以下、「第２の上壁部３８ｆ」という。）は、第２の上壁部３８ｆと取付孔３６との「左右方向及び上下方向に中間に位置する箇所」に設けられている。
【００７１】
収納部３８は、上壁部（３８ｅ、３８ｆ）を段差状に設けているための、右側壁部（右側を指向する側面部）を、上下に２つ備えている。つまり、図４に示すように、「第１の上壁部３８ｅ」の右端部から「第２の上壁部３８ｆ」の左端部と、の間に設けられる右側壁部（以下、「第１の右側壁部３８ｈ」という。）と、「第２の上壁部３８ｆ」の右端部から垂下する右側壁部（以下、「第２の右側壁部３８ｉ」という。）と、を備えている。また、図１０に示すように、収納部３８の左側壁部（左側を指向する側面部）３８ｘは、左壁部３Ｌの一部（下端側の部位）によって構成され、収納部３８の底壁部３８ｙは、下壁部３Ｄの一部（左端側を除く部分）によって構成されている。
【００７２】
つまり、収納部３８は、前方壁３８ａの縁部を右周回する方向に沿って、左側壁部３８ｘと、第１の上壁部３８ｅと、第１の右側壁部３８ｈと、第２の上壁部３８ｆと、第２の右側壁部３８ｉと、底壁部３８ｙと、を配置して構成される略容器形状を備えている。但し、収納部３８は、必ずしも、本実施例のような略容器形状とされる必要はない。例えば、底壁部、左側壁部及び右側壁部のうちの１つ以上（３つでもよい。）が、収納部３８から排除されていてもよい。
【００７３】
図４及び図９（ａ）に示すように、第１の上壁部３８ｅにおいて、上排出口３５の「前方で、しかも、下方に位置する箇所」には、零れ球回収口３８ｋが設けられている。この第１の上壁部３８ｅを上下に貫通し、第１の上壁部３８ｅの上方に位置する箇所と、第１の上壁部３８ｅの下方に位置する箇所（つまり、収納用凹部３８ｃ内）とを連通している。尚、零れ球回収口３８ｋの開口形状（孔形状）は略矩形状とされ、その左右方向幅は、上排出口３５の左右方向幅よりも大きくされている。
【００７４】
図４及び図９（ｂ）に示すように、収納部３８の前方壁３８ａの上端側であって、零れ球回収口３８ｋの前方に位置する部位には、脱落防止部材３９が装着されている。この脱落防止部材３９は、図１３（ａ）に示すように、線形のバネ部材を用いて構成され、下方に開口する略門形状を備える。つまり、この脱落防止部材３９は、前方壁３８ａの上端側であって、零れ球回収口３８ｋの両端側に位置する箇所から上方に突出する左右一対の基端部３９ａと、両基端部３９ａの上端部間に設けられ、両基端部３９ａ間の距離（左右方向幅）よりも、大きな幅を備える幅広部３９ｂとを備えるいる。この幅広部３９ｂは略矩形とされ、その幅（左右方向幅）は、上排出口３５の左右方向幅よりも大きくされている。尚、脱落防止部材３９を、線形のバネ部材で構成するための、この脱落防止部材３９の「前方壁３８ａの上縁部３８１ａ」からの突出長（突出量）を、遊技球Ｙの直径よりも小さくすることが望ましい。
【００７５】
この脱落防止部材３９は、前方壁３８ａによって、略片持ち梁状に支持されいる。そして、脱落防止部材３９の下端側を固定端とし、脱落防止部材３９の上端部として、前後に弾性変形すること（前後に撓むこと）が可能されている。尚、本実施例では、脱落防止部材３９の断面形状（脱落防止部材３９を構成する線材の軸心に直交する断面の形状）が略円形とされている。
【００７６】
図４に示すように、収納部３８の前方壁３８ａには、下排出口３８ｍと、球抜き用回収口３８ｎとが、各々、前後に貫通する状態に設けられている。より具体的には、下排出口３８ｍは、前方壁３８ａの下方側において、本体枠３の左右方向に沿った略中央（第２の上壁部３８ｆの略左右方向に沿った略中央の下方）に設けられ、球抜き用回収口３８ｎは、前方壁３８ａの右上端側（第２の上壁部３８ｆの右端部の下方）に設けられている。また、収納部３８の「第１の右側壁部３８ｈ」には、ファール球回収口３８ｐが、左右に貫通する状態に設けられている。
【００７７】
図９（ｂ）及び図１０に示すように、第１の上壁部３８ｅにおいて、零れ球回収口３８ｋと、左側壁部３８ｘとの間に位置する部位が、略矩形状の切り欠部３８ｑとされている。この切り欠部３８ｑは、第１の上壁部３８ｅを上下に貫通する状態に設けられ、溢れ球回収部（溢れ球回収口）３８ｒを構成する。また、本体枠３の下半部において、溢れ球回収部（溢れ球回収口）３８ｒの上方に位置する部位には、不正防止壁３８ｓが形成されている（図４を参照）。この不正防止壁３８ｓは、溢れ球回収部３８ｒを前方から視認不可能な状態に覆うものであり、その後方部に、溢れ球回収部（溢れ球回収口）３８ｒに遊技球を導くための溢れ球導入通路３８ｔを形成している。この溢れ球導入通路３８ｔは、上端に位置する「入口部（遊技球の入口部）」を、後方に向け、下端に位置する「出口部（遊技球の出口部）」を、溢れ球回収部３８ｒに連通させている。
【００７８】
図５及び図１１に示すように、本体枠３の後面部において、収納用凹部３８ｃを包囲する複数の個所には、保持部材３８ｕが装着されている。この保持部材３８ｕは、長孔３８２ｕが設けられた保持具本体３８１ｕと、この保持具本体３８１ｕを本体枠３に固定するための雄ネジ部材３８３ｕとを備えている。この保持部材３８ｕにおいては、雄ネジ部材３８３ｕの軸部を長孔３８２ｕに挿通させつつ本体枠３に螺合すると共に、雄ネジ部材３８３ｕの頭部で、保持具本体３８１ｕを押圧することで、保持具本体３８１ｕを本体枠３に装着している。そして、雄ネジ部材３８３ｕを緩めることで、保持具本体３８１ｕの端部（収納用凹部３８ｃ側に位置する端部）が、収納用凹部３８ｃの後方に出没可能とされている。
【００７９】
図１０及び図１１に示すように、収納用凹部３８ｃには、通路ボックス８０が嵌着されている。この通路形成部材の具体例を構成するものであり、本体枠３の後方から、収納用凹部３８ｃに対して嵌合しつつ装着されている。そして、この通路ボックス８０は、保持部材３８ｕを用いて、本体枠３に装着されている（図１０では、保持部材３８ｕの図示を省略）。
【００８０】
通路ボックス８０は、図１２に示すように、後壁部８１と、周壁部８２と、第１の内壁部８４と、第２の内壁部８５と、第３の内壁部８６と、第４の内壁部８７と、を備えている。このうち、後壁部８１は、通路ボックス８０の後面部を構成する部分である。この後壁部８１は、左右方向に沿った中間部において、上端部の位置を段差状に変化させている。つまり、後壁部８１は、左右方向に沿った中間部に設けられる段部の左側に位置し、上下幅が大きな左後壁部８１ａと、この段部の右側に位置し、上下幅が小さな右後壁部８１ｂとを備えている。
【００８１】
図１１に示すように、後壁部８１の裏面部には、装着用リブ８１ｒが設けられている。この装着用リブ８１ｒは、後述する遊技球排除樋１２５を支持するためのものである。この遊技球排除樋１２５に関しては後述する。
【００８２】
図１２に示すように、周壁部８２は、後壁部８１の周縁部から、後壁部８１の前方に突出する状態に設けられている。但し、「左後壁部８１ａの上端縁」には、周壁部８２が設けられておらず、開口部８２ａとされている。また、周壁部８２のうちで、通路ボックス８０の上壁部の右端側を構成する部位には、切り欠き部８２ｂ（以下、「第１の切り欠き部８２ｂ」という。）とされている。また、周壁部８２のうちで、左後壁部８１ａと、右後壁部８１ｂとの境界に位置する部位にも、切り欠き部８２ｃ（以下、「第２の切り欠き部８２ｃ」という。）が設けられている。尚、第２の切り欠き部８２ｃは、周壁部８２を左右に貫通しつつ、開口部８２ａと連続している。また、第１の切り欠き部８２ｂは、周壁部８２を上下に貫通しつつ、開口部８２ａよりも低い位置に配置されている。
【００８３】
図１２に示すように、周壁部８２のうちで、後壁部８１の下端部に沿って配置される部位によって、通路ボックス８０の底壁部８０ｂを構成している。そして、底壁部８０ｂのうちで、右端寄りに位置する個所に、底壁部８０ｂを構成する他の部位に比べて、上面部が段差状に高くされた部位８２ｄが設けられている。この部位８２ｄによって、通路ボックス８０に進入した遊技球を、下皿部材６の方向に排出する出口部８２ｅを構成する。この出口部８２ｅの上面部８２ｆは、遊技球を転動させつつ、通路ボックス８０に排出させる転動面（請求項６の発明の転動面の具体例）を構成する。
【００８４】
図１２に示すように、第１の内壁部８４は、「周壁部８２のうちの通路ボックス８０の左側壁部を構成する部位の上下方向中間部」から「出口部８２ｅの左端部」との間に設けられている。この第１の内壁部８４は、「下皿排出通路８４ａを構成する通路壁」の具体例を構成するものであり、その上面部８４ｂが、左端部（通路ボックス８０の左側壁部）から、右端部（出口部８２ｅの左端部）に向かってなだらかに下る傾斜面とされている。
【００８５】
第２の内壁部８５は、図１２に示すように、略コの字状の経路を描きつつ、左後壁部８１ａから、前方に突出する状態に設けられている。即ち、第２の内壁部８５は、開口部８２ａと、第１の内壁部８４との上下方向中間位置に配置されている。また、第２の内壁部８５は、左方向に下り傾斜とされる上壁部８５ａと、上壁部８５ａの右端部から垂下する垂壁部８５ｂと、垂壁部８５ｂの下端部から左方向に設けられる下壁部８５ｃとを備えている。
【００８６】
開口部８２ａにおいて、「上壁部８５ａの左端部」よりも、左側に位置する部位によって、溢れ球が通路ボックス８０に進入する際に通過することになる「溢れ球進入部８２ｆ」が構成される。また、開口部８２ａにおいて、上壁部８５ａの上方に位置する部位によって、零れ球が通路ボックス８０に進入する際に通過することになる「零れ球進入部８２ｇ」が構成される。尚、上壁部８５ａは、「衝撃吸収壁」の具体例を構成する。
【００８７】
第３の内壁部８６は、図１２に示すように、「周壁部８２のうちの通路ボックス８０の右側壁部を構成する部位の上下方向中間部」から「出口部８２ｅの右端部」との間に設けられている。この第３の内壁部８６は、「球抜き用回収通路８６ａを構成する通路壁」であり、その上面部８６ｂが、右端部（通路ボックス８０の右側壁部）から、左端部（出口部８２ｅの右端部）に向かってなだらかに下る傾斜面とされている。尚、前述の「第１の切り欠き部８２ｂ」は、球抜き用回収口３８ｎ及び球抜き用回収通路８６ａを連通する「球抜き用進入口８６ｃ」を構成する。
【００８８】
第４の内壁部８７は、図１２に示すように、「開口部８２ａの右端側部分」の下方部から、「第１の切り欠き部８２ｂの左端部」の下方部にかけて設けられている。この第４の内壁部８７は、「開口部８２ａの右端側部分」の下方部に張り出す、張り出し部８７ａを備えている。この張り出し部８７ａの上面部８７ｂは、左方向に向かって緩やかな下り傾斜を構成している。また、張り出し部８７ａの左端部と、垂壁部８５ｂとの間には遊技球が通過可能な隙間部８７ｃが形成されている。そして、この張り出し部８７ａを用いて、ファール球（後述する。）を通過させるファール球通路８７ｄを構成する。尚、前述の「第２の切り欠き部８２ｃ」は、ファール球回収口３８ｐ及びファール球通路８６ｄを連通する「ファール球進入口８７ｅ」を構成する。
【００８９】
以上のように構成される通路ボックス８０は、図１０及び図１１に示すように、収納部３８の収納用凹部３８ｃに嵌着された後、その後面部の周縁部側の４個所が、保持部材３８ｕによって保持される。このように、通路ボックス８０が収納部３８に嵌着されると、収納部３８に設けられる各「遊技球の通過部」と、通路ボックス８０に設けられる各「遊技球の通過部」とが、位置合わせされて連通する。具体的には、（１）零れ球回収口３８ｋと、零れ球進入部８２ｇとが上下に位置合わせされ、（２）溢れ球回収部（溢れ球回収口）３８ｒと、溢れ球進入部８２ｆとが連通する。
【００９０】
また、（３）球抜き用回収口３８ｎが球抜き用進入口８６ｃと連通し、（４）ファール球回収口３８ｐが、ファール球進入口８７ｅと連通する。更に、図１３（ｂ）に示すように、（５）出口部８２ｅと、下排出口３８ｍとが連通するが、出口部８２ｅの上面部８２ｆ（転動面）は、下排出口３８ｍの下縁部３８１ｍよりも上方に配置される。このため、不正行為者が、下皿部材６の下皿導入口６ａ（後述する。）から、不正部材Ｆを挿入させ、その先端部Ｆ１を、下排出口３８ｍに侵入させることに成功しても、この先端部Ｆ１は、通路ボックス８０において、出口部８２ｅの下方に位置する部位８２１ｅに衝突する可能性を生ずる。よって、この不正部材Ｆを、通路ボックス８０内に侵入させ難くできる。
【００９１】
ここで、零れ球回収口３８ｋに回収された零れ球Ｙ１は、図１４に示すように、零れ球進入部８２ｇを通過し、上壁部（衝撃吸収壁）８５ａに落下する。そして、上壁部（衝撃吸収壁）８５ａの傾斜状となる上面部（緩やかな右下り傾斜状となる上面部）を転動した後、上壁部（衝撃吸収壁）８５ａの右端部から下皿排出通路８４ａの中間部に落下する。そして、下皿排出通路８４ａを右方向に転動した後、出口部８２ｅと、下排出口３８ｍとを通過し、収納部３８の前方（下皿部材６の方向）に排出される（図２２も参照）。
【００９２】
上排出口３５の前端部から前方に落下し（この点については後述する。）、更に、零れ球進入部８２ｇを通じて、通路ボックス８０に進入する零れ球Ｙ１は、先ず、上壁部（衝撃吸収壁）８５ａに衝突して、その勢い（落下速度）が弱められる。しかも、この零れ球Ｙ１は、上壁部（衝撃吸収壁）８５ａを転動する際に、上壁部（衝撃吸収壁）８５ａからの摩擦抵抗により、転動速度を緩める。更に、「零れ球Ｙ１が、上壁部（衝撃吸収壁）８５ａの右端部から下皿排出通路８４ａへ落下する場合の落下距離Ｌ２」は、「零れ球Ｙ１が、零れ球進入部８２ｇから直接、下皿排出通路８４ａへ落下する場合の落下距離Ｌ１」に比べて短くなる。このため、本実施例では、上壁部（衝撃吸収壁）８５ａの作用によって、「零れ球Ｙ１が、下皿排出通路８４ａ（第１の内壁部８４）に衝突することによって生ずる衝突音や衝撃」を小さすることができる。
【００９３】
尚、本実施例では、零れ球Ｙ１が、零れ球進入部８２ｇに近接する上壁部（衝撃吸収壁）８５ａに衝突するための、この零れ球Ｙ１が、上方にバウンドし、零れ球回収口３８ｋより、収納部３８の外側へ零れ出る可能性がある。但し、このように、零れ出る「零れ球Ｙ１」は、脱落防止部材３９に衝突し、再び、零れ球回収口３８ｋに回収される可能性が高くなっている。この点に関しては、後述する。
【００９４】
溢れ球導入通路３８ｔを通過し、溢れ球回収部（溢れ球回収口）３８ｒに回収された溢れ球Ｙ２は、図１５に示すように、溢れ球進入部８２ｆから、通路ボックス８０内に進入し、下皿排出通路８４ａの左端部に落下する。そして、下皿排出通路８４ａを右方向に転動した後、出口部８２ｅと、下排出口３８ｍとを通過し、収納部３８の前方（下皿部材６の方向）に排出される（図２３も参照）。
【００９５】
球抜き用回収口３８ｎに回収された遊技球Ｙ３は、図１６の破線で示すように、球抜き用進入口８６ｃを通過して、球抜き用回収通路８６ａに落下する。そして、球抜き用回収通路８６ａを左方向に転動した後、出口部８２ｅと、下排出口３８ｍとを通過し、収納部３８の前方（下皿部材６の方向）に排出される（図２４も参照）。
【００９６】
ファール球回収口３８ｐに回収された遊技球Ｙ４は、図１６で実線で示すように、ファール球進入口８７ｃを通過して、ファール球通路８７ｄの右端部に落下する。そして、ファール球通路８７ｄを左方向に転動した後、張り出し部８７ａの左端部から、下皿排出通路８４ａの中間部に落下する、そして、下皿排出通路８４ａを右方向に転動した後、出口部８２ｅと、下排出口３８ｍとを通過し、収納部３８の前方（下皿部材６の方向）に排出される。（図２５も参照）
【００９７】
図８に示すように、本体枠３の前面部３ａのうちで、窓部３Ａよりも下方側の部位（遊技盤１０よりも下方側の部位）には、遊技球を遊技盤１０に発射する発射装置（図示を省略）と、遊技球を発射ユニットに供給するための球送り装置（図示を省略）と、発射装置から発射された遊技球を外レール１２（後述する。）に向かって誘導する発射レールＲＹとが配設されている。
【００９８】
ここで、発射レールＲＹは、第１の上壁部３８ｅの上方であって、窓部３Ａの下方に位置する部位において、左方向に向かって上がり傾斜状に設けられている。また、外レール１２の下端部（発射レールＲＹに近接する側の端部）は、ファール球処理部材８８が装着された状態で、第２の上壁部３８ｆの上方であって、窓部３Ａの下方に位置する部位に配置されている。そして、発射レールＲＹと、外レール１２の下端部と、ファール球処理部材８８は、前方壁３８ａよりも後方に配置されている。
【００９９】
前面枠４は、表扉部材の具体例を構成するものであり、図１に示すように、本体枠３の前面側に配置され、本体枠３の左端に開閉可能に支持されている。この前面枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【０１００】
扉枠本体４１は、レンズ状のプラスチックを主体に構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図２６参照）の形状に対応して、略円周状に開設されている。
【０１０１】
図２に示すように、前面枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【０１０２】
図１及び図２に示すように、前面枠４の上端部側の左右には、各々、スピーカーＳＰ１、ＳＰ２（図３７参照）が内蔵されている。また、本遊技機１においては、前板部２２の左右両端にも、スピーカーＳＰ３、ＳＰ４（図３７参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【０１０３】
図１及び図２に示すように、本体枠３の前面部３ａのうちで、前面枠３の下方の部位が上皿部材５の装着部位とされ、上皿部材５の下方の部位が下皿部材６の装着部位とされている。
【０１０４】
図１〜図３に示すように、上皿部材５は、本体枠３の前面部３ａのうちで、前面枠３の下方の部位に、開放動作可能な状態に装着されている。この上皿部材５は、図１７に示すように、略矩形の板形状に構成される板状部５Ａと、板状部５Ａの前面部から前方に突出する状態に配置される上皿本体５Ｂと、を備えている。また、この板状部５Ａの左端部が、ヒンジ５ｈを用いて本体枠３に支持されている。また、板状部５Ａの左端寄りであって、上排出口３５と前後に位置合わせ可能な位置（上皿部材５の閉鎖時に位置合わせ可能な位置）からは球受入部５ｄが突出している。この球受入部５ｄは、略四角柱形状とされると共に、その軸心を後方に向かって上がり傾斜状としている（図１９等を参照）。
【０１０５】
板状部５Ａの左端部寄りには、上皿導入口５ｂが前後に貫通する状態に設けられている。この上皿導入口５ｂの後端部（遊技球の通過方向に沿った始端部）は、球受入部５ｄの基端部（遊技球の通過方向に沿った終端部）に接続（連通状に接続）され、上皿導入口５ｂの前端部（遊技球の通過方向に沿った終端部）は、上皿本体５Ｂの内側（板状部５Ａの前方）で開放（開口）されている。更に、板状部５Ａの右端部寄りには、球抜き用導出口５ｇが、前後に貫通する状態に設けられている。尚、この球抜き用導出口５ｇの後端部（上皿部材５の裏側に位置する端部）は、抜き球用中継部材（図示を省略）を介して、球抜き用回収口３８ｎに接続されている（図２４も参照）。
【０１０６】
上皿本体５Ｂは、上方に開口する皿形状を備えており、主要部を構成する上皿貯留部５Ｄと、その他の部位を構成する上皿棚部５Ｅとを備えている。このうち、上皿貯留部５Ｄは、上皿部材５に排出される（払い出される）遊技球を貯留するための部位であり、上皿本体５Ｂの左側に偏った位置に設けられている。また、この上皿貯留部５Ｄは、上皿本体５Ｂの上方に開口する凹部によって構成され、前述の上皿導入口５ｂの前端部（遊技球の通過方向に沿った終端部）は、この上皿貯留部５Ｄの内部に向かって開放（開口）されている。また、上皿貯留部５Ｄの底面部５ｐは右方向に向かって下り傾斜となる傾斜面とされている。
【０１０７】
上皿棚部５Ｅの上面部は、上皿貯留部５Ｄの開口部に略面一で、略平滑とされ、この上面部には、「球貸操作部５ｃ」と、操作スイッチＳＷとが配置されている。また、上皿棚部５Ｅの内部には、上皿貯留部５Ｄと球抜き用導出口５ｇとを連絡するための抜き球導出通路５ｊが設けられている。この抜き球導出通路５ｊの一端部は、「上皿貯留部５Ｄの底面部５ｐ」の右端部に向かって開口し、この右端部と接続（連通状に接続）されている。また、この抜き球導出通路５ｊの他端部は、球抜き用導出口５ｇに接続（連通状に接続）されている。更に、抜き球導出通路５ｊは、一端部から他端部に向かって、緩やかな下り傾斜状とされている。尚、図示を省略するが、抜き球導出通路５ｊの中間部は、「弁装置」を用いて閉鎖されている。このため、上皿貯留部５Ｄと、球抜き用導出口５ｇとは遮断状態（遊技球を導出できない状態）とされている。
【０１０８】
上皿本体５Ｂの前面部には、球抜きボタン５Ｎが配置されている。そして、遊技者が、この球抜きボタン５Ｎを操作すると（例えば、押圧すると）、前述の「弁装置」が開放状態とされ、上皿貯留部５Ｄと、球抜き用導出口５ｇとが、抜き球導出通路５ｊを介して連通する。このため、上皿貯留部５Ｄに遊技球が存在する場合、この遊技球は、上皿貯留部５Ｄを右方向に移動した後、抜き球導出通路５ｊを通過し、球抜き用導出口５ｇを通じて上皿部材５の後方に到達する。この後、抜き球用中継部材（図示を省略）を経て、球抜き用回収口３８ｎに回収される。そして、この遊技球（遊技球Ｙ３）は、前述のように、球抜き用進入口８５ｃ、球抜き用回収通路８５ａ、出口部８２ｅ、下排出口３８ｍを経て収納部３８の前方（下皿部材６の方向）に排出される（図２４も参照）。
【０１０９】
尚、この上皿部材５の外郭部分は、レンズ状のプラスチックを主体され、上皿部材５の内部にも、ＬＥＤ基板４ｉが内蔵されている（図２を参照）。また、上皿部材５の裏側（板状部５Ａの後面部）には、球貸表示基板４１０（図３６参照）及び演出ボタン基板２２８（図３７参照）が設けられている。
【０１１０】
図１７に示すように、この上皿部材５を閉鎖状態にすると、板状部５Ａの後面部が、中枠３の前面部３ａに当接（密接でもよい。）すると共に、球受入部５ｄの突端部（後端部）と、上排出口３５とが接続（連通状態に接続）される。このため、上排出口３５から排出される（払い出される）遊技球は、球受入部５ｄ、上皿導入口５ｂを経て、上皿貯留部５Ｄに進入する（図２１を参照）。また、上皿部材５が閉鎖状態にある場合、図１９に示すように、球受入部５ｄの底面部５ｔが、脱落防止部材３９の幅広部３９ｂを下方に押圧（圧迫）するため、脱落防止部材３９は後方に撓んだ状態となる。つまり、本実施例では、球受入部５ｄの底面部５ｔが、脱落防止部材３９の受圧部（幅広部３９ｂ）を押圧（圧迫）することで、脱落防止部材３９に弾性変形を生じさせ、脱落防止部材３９の状態を起立状態から「後方への傾動状態」と変化させる。
【０１１１】
この際、本実施例では、受圧部を幅広に形成し、球受入部５ｄから脱落防止部材３９に対して、より均等な押圧（圧迫）が付加されるようになるため、脱落防止部材３９の弾性変形は円滑に実行される。また、脱落防止部材３９の断面形状が円形であるため、脱落防止部材３９の弾性変形の際に、受圧部が底面部５ｔに対して円滑に摺動すると共に、摺動する受圧部によって底面部５ｔを傷つけることもない。
【０１１２】
図１８に示すように、この上皿部材５を閉鎖状態から開放状態にすると、板状部５Ａの後面部が、中枠３の前面部３ａから離間すると共に、球受入部５ｄの突端部（後端部）と、上排出口３５との接続が解除される。このため、上排出口３５から排出される（払い出される）遊技球は、図２０に示すように、本体枠３の前方（斜め下方側の前方）に零れ落ち（零れ球Ｙ１となり）、零れ球回収口３８ｋに回収される。そして、この回収された遊技球（零れ球Ｙ１）は、零れ球進入部８２ｇ通過し、上壁部（衝撃吸収壁）８５ａに落下し、上壁部（衝撃吸収壁）８５ａを転動した後、下皿排出通路８４ａ、出口部８２ｅ、下排出口３８ｍを経て収納部３８の前方（下皿部材６の方向）に排出される（図２２も参照）。
【０１１３】
但し、上皿部材５を開放状態にすると、図２０に示すように、「球受入部５ｄの底面部５ｔから脱落防止部材３９へ加えられていた押圧（圧迫）」が解除されるため、脱落防止部材３９は、自己の弾発力を用いて起立状態となり、上排出口３５の前方に対向する位置に突出する。このため、上排出口３５から排出されたが、零れ球回収口３８ｋをその前方に飛び越える遊技球Ｙ１１が存在しても、この遊技球Ｙ１１は、脱落防止部材３９に衝突する可能性が高い。そして、このように、脱落防止部材３９に衝突する遊技球Ｙ１１は、概ね、後方に跳ね返り、零れ球回収口３８ｋに回収される。
【０１１４】
また、本実施例では、前述のように、零れ球Ｙ１が、「零れ球進入部８２ｇに近接する上壁部（衝撃吸収壁）８５ａ」に衝突した後、上方にバウンドし、零れ球回収口３８ｋより、収納部３８の外側へ、はみ出る可能性がある。但し、この「零れ球Ｙ１」も、脱落防止部材３９に衝突する可能性が高い。そして、この脱落防止部材３９に衝突する零れ球Ｙ１も、概ね、後方に跳ね返り、零れ球回収口３８ｋに回収される。
【０１１５】
図１及び図２に示すように、下皿部材６は、本体枠３の前面部３ａのうちで、上皿部材５の下方に配置されている。この下皿部材６は本体枠３に対しては開閉不能とされており、本体枠３と一体で外枠２に対して、開閉可能とされている。この下皿部材６は、図１８に示すように、略矩形の板形状に構成される板状部６Ａと、板状部６Ａの前面部から前方に突出する状態に配置される下皿本体６Ｂと、を備えている。
【０１１６】
板状部６Ａの略中央部であって、前述の下排出口３８ｍと前後に位置合わせ可能な位置には、下皿導入口６ａが前後に貫通する状態に設けられている。この下皿導入口６ａの後端部（遊技球の通過方向に沿った始端部）は、下皿中継部材（図示を省略）を介して、下排出口３８ｍに接続されている。また、この下皿導入口６ａの前端部（遊技球の通過方向に沿った終端部）は、下皿本体６Ｂの内側（板状部６Ａの前方）で開放（開口）されている。
【０１１７】
下皿本体６Ｂは、上方に開口する皿形状を備えており、主要部を構成する下皿貯留部６Ｄと、その他の部位を構成する下皿棚部６Ｅとを備えている。このうち、下皿貯留部６Ｄは、下皿部材６に排出される遊技球を貯留するための部位であり、下皿本体６Ｂの略中央部に設けられている。また、この下皿貯留部６Ｄは、下皿本体６Ｂの上方に開口する凹部によって構成され、前述の下皿導入口６ａの前端部（遊技球の通過方向に沿った終端部）は、この下皿貯留部６Ｄの内部に向かって開放（開口）されている。
【０１１８】
下皿貯留部６Ｄの底面部６ｐは、特定の部位（右寄りの部位、左寄りの部位、中央の部位の何れでもよい。）に向かって下り傾斜となる傾斜面とされている。更に、この特定の部位には、下皿貯留部６Ｄに貯留された遊技球を、下皿本体６Ｂの下方に抜き取るための「下方抜き取り下口６Ｆ」が設けられている。但し、通常においては（後述する操作部６Ｈが操作されていないときには）、この「下方抜き取り下口６Ｆ」は、板状のシャッター６Ｇを用いて閉鎖されている。
【０１１９】
図１に示すように、下皿棚部６Ｅの左端部には、灰皿６ｂが設けられている（図１８では図示を省略）。また、下皿本体６Ｂの前面部には、操作部（操作レバー）６Ｈが設けられている。そして、この操作部６Ｈを操作すると、シャッター６Ｇに開放動作が施され、「下方抜き取り下口６Ｆ」が開放状態となる。
【０１２０】
この下皿部材６では、前述の出口部８２ｅ、下排出口３８ｍを経て収納部３８の前方に排出される遊技球を、貯留可能である。つまり、下排出口３８ｍを経て収納部３８の前方に排出される遊技球は、下皿中継部材、下皿導入口６ａを経て、下皿貯留部６Ｄに貯留される（図２２〜図２５を参照）。  
【０１２１】
板状部６Ａにおいて、下皿本体６Ｂの右側に位置する部（つまり、板状部６Ａ右端部）には発射ハンドル９が設けられている。この発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。
【０１２２】
前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【０１２３】
ｂ．遊技盤１０の構成
次に、遊技盤１０の構成について図２６〜図３０を用いて説明する。この遊技盤１０は、前述のように、本体枠３（図４を参照）の保持部（３ｄ、３ｅ）に保持されるとともに、後述する裏機構盤１０２（図３２参照）によりその背面側が覆われている。また、遊技盤１０の前面部には、ともに帯状の金属板を用いて構成される外側レール１２と、内側レール１３とが配設されている。
【０１２４】
遊技盤１０の前面部（表面部）１０ａにおいて、この外側レール１２及び内側レール１３が形成する略楕円形の周壁によって構成される部位が、遊技領域１１を構成している。このため、本実施例では、遊技領域１１の外縁部の形状が略楕円形（長軸；４６２ｍｍ、短軸；４２４ｍｍ）とされるが、外縁部の形状は「略円形」等、の他の形状であってもよい。また、本実施例の外側レール１２は、「右側方に開口する略Ｕ字状の経路を描く、略帯状体」によって構成され、本実施例の内側レール１３は、「上方に開口する略Ｕ字状の経路を描く、略帯状体」によって構成されている。尚、本実施例では、２本のレール（外側レール１２、内側レール１３）を用いて、遊技領域１１の外縁部を構成する態様を例示したが、例えば、１本のレール（Ｃ字状に配設された１本のレール）を用いて遊技領域１１の外縁部を構成することもできる。
【０１２５】
遊技盤１０は、図２７に示すように、前方板状部材５００と、後方板状部材６００と、を着脱可能に積層して構成される積層板を用いて構成されている。また、前方板状部材５００及び後方板状部材６００の平面形状（前方から視認した平面形状）は、何れも、遊技盤１０の平面形状（前方から視認した平面形状）と等しくされている。また、遊技盤１０には、後述する入賞装置（始動入賞装置１７、下部装置３０、一般入賞装置４０、４１、４３、４４）に入賞した遊技球を遊技盤１０の後方に通過させるための「入賞球通過孔Ｂ１、Ｂ２、Ｂ３、Ｂ４、Ｂ５、Ｂ６」が、遊技盤１０の前後を貫通する状態に設けられている。更に、遊技盤１０には、アウト球通過孔Ｂ７が、遊技盤１０の前後を貫通する状態に設けられている。また、本実施例では、後方板状部材６００の前面部６００ａに、装飾シート６２０が装着されている（図３０を参照）。
【０１２６】
前方板状部材５００は、遊技盤１０の前面部１０ａの部位を構成する板状体であり、その表面部５００ａによって、遊技盤１０の前面部１０ａを構成する。ここで、前方板状部材５００を構成する「透明な樹脂板」としては、「アクリル板（アクリル樹脂からなる板状体）」や、「ポリカーボネート板（ポリカーボネート樹脂からなる板状体）」等を例示できる。尚、「アクリル樹脂からなる板状体」とは、「メタクリル酸エステル（特に、メタクリル酸メチル）」、及び／又は、「アクリル酸エステル」を主成分として含有する（樹脂成分全体の５０重量％〜１００重量％含有する）樹脂からなる板状体を指す。また、「アクリル板（アクリル樹脂からなる板状体）」を用いた場合、例えば、「９０〜９２％の光透過率（可視領域での光透過率）」を得ること（クリスタルガラスに匹敵する光透過率を得ること）も可能なため、より好適な前方板状部材５００を得ることができる。
【０１２７】
後方板状部材６００は、図２６及び図２７に示すように、遊技盤１０の後面部側の部位を構成する板状体であり、前方板状部材５００と略同一の平面形状を備えている。尚、後方板状部材６００は剛性の高い、不透明な樹脂板（例えば、ＡＢＳ製の板等）を用いて構成されている。そして、本実施例では、後方板状部材６００の基材部を、剛性が高く、熱膨張率の低い素材で構成するため、後方板状部材６００及び前方板状部材５００は、剛性が高く、しかも、熱膨張率が低くされている。
【０１２８】
図２９に示すように、後方板状部材６００の裏面部６００ｂにおいて、各入賞球通過孔Ｂ１〜Ｂ６が開口する部位には、遊技球案内用のリブ６０３ｒが突出している。尚、図示を省略するが、後方板状部材６００の裏面部６００ｂには、遊技球集合部材が装着されている。そして、各入賞球通過孔Ｂ１〜Ｂ６を通じて、後方板状部材６００の後方（遊技盤１０の後方）に到達する遊技球が、遊技球集合部材の端末部（遊技球の通過方向に沿った端末部）に導かれる。
【０１２９】
図２８に示すように、後方板状部材６００の略中央部には、略矩形状の貫通部６１１が、貫通状に（後方板状部材６００の表面部６００ａと、裏面部６００ｂとを貫通する状態に）設けられている。ここで、本実施例において、この貫通部６１１のサイズが以下のように定められている。つまり、貫通部６１１の横方向に沿った幅（Ｐ）は、約３３７．５ｍｍとされ、貫通部６１１の縦方向に沿った幅（Ｒ）は、約２７２．３ｍｍとされている。一方、本遊技機１を構成する遊技盤１０の遊技領域１１の縦方向に沿った幅の最大寸法（Ｓ）は約４６２ｍｍとされ、遊技領域１１の横方向に沿った幅の最大寸法（Ｑ）は約４２４ｍｍとされている。このため、比（Ｐ／Ｑ）は約０．８０とされ、比（Ｒ／Ｓ）は約０．５９とされている。換言すると、貫通部６１１の開口面積は、遊技領域１１の全面積の約６０％とされている。このように、この後方板状部材６００には大型の貫通部６１１を設けられているが、後方板状部材６００の裏面部６００ｂの面積（貫通部６１１を除く、後方側の部位）が、十分に確保されている。尚、後述する中央表示装置２７（画像表示装置である。）が固着される被固着部位は、この後面部６００ｂから選択される。
【０１３０】
尚、この後方板状部材６００においては、「盤部品（後述する始動入賞装置１７、下部装置３０、左下表示装置５０、右下表示装置６０、一般入賞装置４０、４１、４３、４４等）の後方の部位を除く略全域」が、前方板状部材５００の前方から視認可能な「可視部位」とされている。
【０１３１】
図３０に示すように、後方板状部材６００の前面部６００ａに装飾シート６２０は貼着され、前方板状部材５００及び後方板状部材６００が、この装飾シート６２０を挟み込んだ状態となっている。この装飾シート６２０は、樹脂製のシート基材に、図柄（所謂、セル画であって、例えば、「太陽の図形と、月の図形とを用いたセル画」）を印刷して構成されるものである。尚、本実施例では、装飾シート６２０が、遊技盤１０の表面部１０ａに配置されず、この装飾シート６２０上を遊技球が転動しないため、装飾シート６２０に経時的な劣化を生じないか、この経時的な劣化の度合いが少なくなる。また、本実施例と異なり、装飾シート６２０を前方板状部材５００の後面部５００ｂに貼着してもよいし、前方板状部材５００の前面部５００ａや後方板状部材６００の前面部６００ａに直接、図柄（セル画）を形成（印刷等）してもよい。更に、本実施例と異なり、遊技盤１０の表面部１０ａに装飾シート６２０を貼着したり、この表面部１０ａに直接、図柄（セル画）を形成（印刷等）してもよい。
【０１３２】
図２６に示すように、以上の遊技盤１０の前面部１０ａにおいて遊技領域１１内に位置する部位には、流下経路変更部材２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車（図示を省略）等が配設されている。また、図２７に示すように、遊技盤１０に裏面部１０ｂ（後方板状部材７００の裏面部６００ｂ）には、中央表示装置２７が固着されている。更に、遊技盤１０を前後に縦断する状態で、ワープ部材７０、７０が配設されている。
【０１３３】
流下経路変更部材２０は、透明な樹脂を用いて構成されると共に、貫通部６１１の外縁部の前方で、しかも、この外縁部よりも内側の部位に装着されている。この流下経路変更部材２０は、樹脂を用いて構成されると共に枠形状を備えている。また、この流下経路変更部材２０は、前面部１０ａから前方に突出する状態に配置される壁部２１と、壁部２１の基端部から突出し、前面部１０ａに沿った方向に配置される取付代２２とを備えている。そして、この取付代２２を遊技盤１０の前面部１０ａにネジ止めすることで、この流下経路変更部材２０は、遊技盤１０に装着されている。
【０１３４】
壁部２１は、上部を位置する庇部２１ａと、左右に位置する側壁部２１ｂ、２１ｃと、下部に位置するステージ部２１ｄとを備えている。このうち、庇部２１ａは、その上面部が、左右方向中間部から左右両端に下る「下り傾斜面」を形成している。このため、庇部２１ａの上面部に到達した遊技球は、この上面部に沿って、庇部２１ａの左右一方の端部側に転動するものとされている。
【０１３５】
ステージ部２１ｄの突端部からは、「落下防止壁２１ｅ」が上方に向かって延設されている。また、このステージ部２１ｄは、その上面部によって、遊技球の転動面を構成する。この転動面は、「左右の端部から中央部に向かって下る傾斜面」として構成されている。そして、落下防止壁２１ｅの左右方向に沿った中央部には、ステージ部２１ｄの上面部（転動面）上の遊技球を、ステージ部２１ｄの外部に排出するための排出通路２１ｆが設けられている。尚、本実施例では、ステージ部２１ｄの上面部（転動面）に進入した遊技球は、上面部（転動面）上を左右に転動する。そして、遊技球の勢いの衰えたところで、この遊技球は、排出通路２１ｆを通過してステージ部２１ｄ外に排出されるか、或いは、「ステージ部２１ｄの上面部（転動面）において、落下防止壁２１ｅが低くされた部位」から、ステージ部２１ｄ外に排出される。尚、排出通路２１ｆの出口部の直下に、後述する始動入賞装置１７が位置している。
【０１３６】
左側の側壁部２１ｂには、左側のワープ部材７０の入口部を構成するワープ孔２１ｈが設けられている。つまり、左側のワープ部材７０の始端部はワープ孔２１ｈによって構成され、このワープ部材７０の終端部は、ステージ部２１ｄの上面部（転動面）の左端側で開放されている。また、左側のワープ部材７０の中間部が貫通部６１１内に進入している。このため、左側の側壁部２１ｂの左側方に到達し、しかも、ワープ孔２１ｈに進入した遊技球は、左側のワープ部材７０を通過した後、ステージ部２１ｄの上面部（転動面）の左端側に到達する。
【０１３７】
右側の側壁部２１ｃには、右側のワープ部材７０の入口部を構成するワープ孔２１ｐが設けられている。つまり、右側のワープ部材７０の始端部はワープ孔２１ｐによって構成され、このワープ部材７０の終端部は、ステージ部２１ｄの上面部（転動面）の右端側で開放されている。また、右側のワープ部材７０の中間部が貫通部６１１内に進入している。このため、左側の側壁部２１ｂの左側方に到達し、しかも、ワープ孔２１ｈに進入した遊技球は、左側のワープ部材７０を通過した後、ステージ部２１ｄの上面部（転動面）の左端側に到達する。尚、本実施例では、「遊技球が、本遊技機１のうちで遊技者が特に注視する部位（表示画面２７ａ）の近傍を通過すること」を、透明なワープ部材７０を透かして視認することが可能である。
【０１３８】
中央表示装置２７は、「画像表示装置」の具体例を構成すると共に液晶表示装置を用いて構成されている。この中央表示装置２７の前面部には、図３０に示すように、表示画面２７ａと、この表示画面２７ａを枠状に包囲する表示枠部２７ｇとが設けられている。そして、この中央表示装置２７は、表示枠部２７ｇの前面部を後方板状部材６００の裏面部６００ｂのうちで、貫通部６１１を包囲する部位に当接させつつ、この裏面部６００ｂに固着されている。尚、本実施例の中央表示装置２７（液晶表示装置）は、「前面部側に表示画面２７ａを備える液晶パネル」を含む構成とされば足り、当該「液晶パネル」以外の部材（駆動回路等）を一体的に備えるか否かを特に問わない。
【０１３９】
つまり、この「画像表示装置」の具体例を構成する液晶表示装置は、「表示用の本体部（液晶パネルを含む部分）を主体とする装置（駆動回路等を含まない装置）」として構成されてもよいし、表示用の本体部（液晶パネルを含む部分）と、他の部材（駆動回路等）とを含む装置として構成されてもよい。換言すると、少なくとも、「表示用の本体部（液晶パネルを含む部分）」を含む装置であればよい。この場合、例えば、この液晶パネルを、表示領域部（表示画面２７ａを構成する部位）と、この表示領域部を枠状に包囲する表示枠部と、を備える構成とする。そして、この液晶パネルの前面部（表示枠部の前面部）を、後方板状部材６００の裏面部６００ｂのうちで貫通部６１１を包囲する部位に当接させつつ、この液晶パネルを後方板状部材６００の裏面部６００ｂに固着してもよい。
【０１４０】
本実施例では、図３０に示すように、この中央表示装置２７の固着のために、略Ｌ字のステー２７ｈと、取付用のビス２７ｉとを用いている。そして、このように、中央表示装置２７の固着すると、表示画面２７ａの外縁部と、貫通部６１１の内縁部とが、前後に位置合わせされる。このため、遊技盤１０の前方の遊技者は、前方板状部材５００を透かして、表示画面２７ａの全域を視認することができる（図７等を参照）。但し、本実施例では、表示画面２７ａのサイズを「１７インチ」としている。尚、各請求項の発明では、表示画面２７ａのサイズは特に問わないが、「１０インチ」〜「２０インチ」の間で選択することが好ましく、「１５インチ」〜「１７インチ」の間で選択することが特に好ましい。
【０１４１】
この中央表示装置２７は、後述する右下表示装置６０と同様に、当否判定の結果（後述する。）を示す図柄（以下、「判定結果図柄」という。）を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明の遊技機１は、本図柄の表示のみを行い、疑似図柄の表示を行わないものであってもよい。
【０１４２】
中央表示装置２７の表示画面は可変状態に用いられ、その全体、若しくは、一部を用いて種々の図柄を表示可能である。また、普通図柄作動ゲート（普通図柄作動口）１６は、図２６に示すように、遊技領域１１において、流下経路変更部材２０の両脇に位置する部位に配設されている。また、この普通図柄作動ゲート（普通図柄作動口）１６内には普通図柄作動ゲート通過検出スイッチ１６ｓ（図３５参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【０１４３】
始動入賞装置１７は、前後に連通する入賞球通過孔Ｂ１の前方に位置する部位に配設されている。そして、図２２に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【０１４４】
第２の始動入賞部１７ｂは、第１の始動入賞部１７ａの直下に位置すると共に、入口側部分に、普通電動役物１７ｄが配置されている。この普通電動役物１７ｅは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図３５参照）を備えている。そして、この一対の翼片部が左右に開くと、遊技球の入球可能性が大きくなる開放状態となり、一対の翼片部が立設され、遊技球の入球可能性が小さくなる通常状態となる。
【０１４５】
始動入賞装置１７の内部には、第１の始動入賞部１７ａ、若しくは、第２の始動入賞部１７ｂを遊技球の通過を検出する始動入賞検出スイッチ１７ｓ（図３５参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１４６】
図２６に示すように、下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、入賞球通過孔Ｂ２と連通している。尚、この入賞球通過孔Ｂ２によって、「大入賞口３１ａから入賞する遊技球を通過させるための大入賞口入賞通路（図示を省略）」が構成される。
【０１４７】
そして、可変入賞装置（大入賞装置）３１は、この大入賞口３１ａを開放・閉鎖するための開閉板３１ｂと、この開閉板３１ｂを駆動するための大入賞口ソレノイド３１ｃ（図２５参照）と、大入賞口入賞通路の経路途中若しくは経路端末部に設けられた入賞球検出スイッチ３１ｓ（図２９参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１４８】
左下表示装置５０は、図２６に示すように、可変入賞装置（大入賞装置）３１の左側方に配置されている。この左下表示装置５０は、図３１（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１４９】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１５０】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１５１】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１５２】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、一方のＬＥＤ５５ａを点灯させ、他方のＬＥＤ５５ｂを消灯させて、「遊技機１の現在の遊技状態が確変遊技状態である」旨が表示される。更に、一方のＬＥＤ５５ａを消灯させ、他方のＬＥＤ５５ｂを点灯させて、「遊技機１の現在の遊技状態が確変遊技状態である」旨が表示される。
【０１５３】
ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。そして、遊技機１の遊技モードが、確変モードから時短モードになると、確変手段は作動を停止し、時短手段（特別図柄や普通図柄の変動時間を短く設定することを内容とする手段）が作動を開始する。更に、遊技機１の遊技モードが、確変モードから通常遊技モードに戻されると、時短手段と、開放延長手段は作動を停止する。尚、本実施例では、確変手段の作動時に、確変手段は、「特別図柄の当否判定において、大当り判定がなされる確率を高く設定すること」に加えて、「特別図柄や普通図柄の変動時間を短く設定すること」も行う。つまり、遊技機１が実行する「確変モード」は、実質的に、時短モードをも実行するモードと言える。但し、本実施例では、確変モードが解除された後であって、時短手段と、開放延長手段とが作動している場合のみを「時短モード」と称することとする。
【０１５４】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１５５】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示する。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１５６】
右下表示装置６０は、図２６に示すように、可変入賞装置（大入賞装置）３１の右側方に配置されている。この右下表示装置６０は、図３１（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１５７】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１５８】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１５９】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。具体的には、一方のＬＥＤ６３ａを点灯させ、他方のＬＥＤ６３ｂを消灯させて、「特別図柄表示部６２においてなれる大当り表示」が、「第１の大当り」であることが示される。また、一方のＬＥＤ６３ａを消灯させ、他方のＬＥＤ６３ｂを点灯させて、「特別図柄表示部６２においてなれる大当り表示」が、「第２の大当り」であることが示される。
【０１６０】
尚、「第１の大当り」に起因して実行される「第１の特別遊技状態」は、１５回、可変入賞装置３１を開放状態としつつ実行され、この「第１の特別遊技状態」が実行されると、遊技者は、大量の賞球を期待することができる。この「第１の特別遊技状態」の終了後に、遊技機の確率モード（当否判定において、大当り判定が得られる確率の状態）は、「通常モード」になる場合と、「高確率モード」になる場合がある。つまり、「第１の特別遊技状態」においては、開閉板３１ｂ（開閉部材）に、「第１の単位駆動」が施される。この「第１の単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３５秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。そして、この「第１の単位駆動」が、所定のインターバル時間（以下、「第１のインターバル時間」という。）を挟みつつ、計１５回実行されると、遊技機１の遊技状態は、第１の大当り遊技状態から通常遊技状態に戻される。この「第１の特別状態」の終了後においては、確率モードが、通常遊技モードとされる場合と、高確率モードとされる場合とがある。
【０１６１】
一方、「第２の大当り」に起因して実行される「第２の特別遊技状態」は、２回、可変入賞装置３１を開放状態としつつ実行され、この「第２の特別遊技状態」が実行されても、実質的に賞球を生じないようにされる（全く生じないことを前提とするが、偶発的に生ずることがある。）。但し、この「第２の特別遊技状態」の終了後に、遊技機の確率モード、必ず、「高確率モード」になる。つまり、「第２の特別遊技状態」においては、開閉板３１ｂ（開閉部材）に、「第２の単位駆動」が施される。この「第２の単位駆動」は、開閉板３１ｂ（開閉部材）の姿勢を、「閉鎖姿勢」から、「開放姿勢」に移行させ、この開放姿勢を、「第１の時間よりも短い第２の時間（例えば、０．０５秒〜０．３５秒から選択される時間）」維持した後、この開閉板３１ｂ（開閉部材）の姿勢を、閉鎖姿勢に戻すこと、で構成される「開閉板３１ｂ（開閉部材）の開閉動作）」によって構成される。この「第２の単位駆動」が終了すると、遊技機１の遊技状態は、第２の特別遊技状態から通常遊技状態に戻される。そして、この「第２の特別状態」の終了後においては、確率モードが、一律に高確率モードとされる。
【０１６２】
本実施例では、個々の第２の単位駆動のために費やされる時間（第１の時間）は、個々の第１の単位駆動のために費やされる時間（第１の時間）よりも短く設定されている。しかも、「第２の特別遊技状態の間に実行される第２の単位駆動の回数」は、「第１の特別遊技状態の間に実行される第１の単位駆動の回数」よりも少なく設定されている。このため、「第２の特別遊技状態」の実行中において可変入賞装置３１へ遊技球が入賞する確率（前述の「第２の確率」）は、「第１の大当り遊技状態」の実行中において可変入賞装置３１へ遊技球が入賞する確率（前述の「第１の確率」）に比べて低くされている。そして、本実施例では、第２の時間が「ごく短時間（０．０５秒〜０．３５秒から選択される時間）」に設定されると共に、「第２の単位駆動」の「繰り返し実行回数」が最小回数（２回）に設定されている。このため、「第２の確率」は特に低くされ、遊技球の入賞は、ごく希にしか生じない。
【０１６３】
図３１（ａ）に示すように、２個の一般入賞装置４０、４１は、左下表示装置５０を構成する取付板５１に一体化され、図３１（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２５参照）が配設されている。また、各一般入賞装置４０、４１、４３、４４は、各入賞球通過孔（Ｂ３、Ｂ４、Ｂ５、Ｂ６）に連通している。
【０１６４】
図２６に示すように、遊技盤１０の下方にはアウト口１８が設けられている。また、アウト口１８は、その後方で連通する、アウト球通過孔Ｂ７と連通している。更にアウト口１８の下部にはバック球防止部材（図示を省略）が設けられている。そして、遊技領域１１に到達せず戻ってきた遊技球が再び発射位置に戻ることを防止している。また、ファール球防止部材１５は、内レール１３の先端部に取り付けられている。但し、図２６においては、ファール球防止部材１５の図示を省略している。また、多数の障害釘は、以上説明した各盤部品との位置バランスを考慮して、遊技領域１１にパチンコ遊技に適するべく、配設されているが、その図示を省略している。
【０１６５】
尚、本遊技機１では、前述のように、上皿部材５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１６６】
ｅ．遊技機１の裏面構造
次に、本実施例の遊技機１の裏面構造について図３２〜図３５を参照して説明する。つまり、遊技機１の裏面構造は、大きな裏機構盤１０２の上に各種装置が搭載された構造となっており、裏機構盤１０２は、一対のヒンジ１０３によって本体枠３に開閉可能に軸支されている。
【０１６７】
裏機構盤１０２には、遊技球が蓄えられる賞球タンク１０５と、賞球の払出を行う賞球払出装置１０９と、払出球誘導樋１２０（図３３を参照）と、遊技球排除樋１２５（図３３を参照）と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１６８】
賞球タンク１０５には底部にタンクスイッチが設けられており、球切れを検出することができる。また、賞球タンク１０５と賞球払出装置１０９とは、タンクレール１０６によって接続されている。更に、図３２において、タンクレール１０６の右側には球抜きレバーが設けられ、タンクレール１０６の下流側には補給球切れ検知スイッチが設けられている。また、賞球払出装置１０９は、払出装置の具体例を構成するものであり、払出モータを内蔵している。
【０１６９】
払出球誘導樋１２０は、誘導手段の具体例を構成するものであり、図３３に示すように、賞球払出装置１０９の下流側に接続されている。つまり、払出球誘導樋１２０の上流側の端部は、賞球払出装置１０９の払出口に接続されている。また、払出球誘導樋１２０の下流端側は、仕切部材１２１Ｓを用いて、２つの通路１２１ａ、１２１ｂに分岐されている。このため、払出球誘導樋１２０の下流端は、２つの接続口１２１ｃ、１２１ｄによって構成されている。このうち、一方の通路（以下、「第１の通路」という。）１２１ａの端末を構成する「一方の接続口（以下、「第１の接続口」という。）１２１ｃ」は、直接、若しくは、所定の中継部材を介して上排出口３５の後端部に接続されている。また、他方の通路（以下、「第２の通路」という。）１２１ｂの端末を構成する「他方の接続口（以下、「第２の接続口」という。）１２１ｄ」は、直接、若しくは、所定の中継部材を介して、溢れ球導入通路３８ｔの始端部に接続されている。
【０１７０】
払出球誘導樋１２０内において仕切部材１２１Ｓの上流側の部位には、振り分け部１２１ｅが設けられている。この振り分け部１２１ｅは、上面部１２１ｆを、「第１の通路１２１ａに向かって下り傾斜状」に配置する傾斜板によって構成されている。このため、この払出球誘導樋１２０を通過（流下）する遊技球Ｙは、原則的には、図３４（ａ）に示すように、払出球誘導樋１２０の下流端側において、振り分け部１２１ｅの上面部１２１ｆを転動し、第１の通路１２１ａの側に誘導させる。
【０１７１】
この際、上皿部材５が閉鎖状態にあると共に、上皿貯留部５Ｄの貯留能力に余裕がある場合（遊技球の貯留量を更に増加させることが可能な場合）には、図３４（ａ）に示すように、この誘導された遊技球は、上排出口３５の前方に排出され、この後、球受入部５ｄ、上皿導入口５ｂを経て、上皿貯留部５Ｄに進入する（図２１を参照）。尚、図３４（ａ）及び（ｂ）のハチング表示２８は、上排出口３５と、溢れ球回収部（溢れ球回収口）３８ｒとが遮断されていること（換言すると、上排出口３５と、球受入部５ｄとが連通していること）を便宜的に示すための表示である。
【０１７２】
一方、上皿部材５が閉鎖状態にあると共に、上皿貯留部５Ｄの貯留能力に余裕が無い場合（遊技球の貯留量を更に増加させることが不可能な場合）には、図３４（ｂ）に示すように、溢れ球Ｙ２を生ずることになる。つまり、上皿貯留部５Ｄばかりか、上皿導入口５ｂ、球受入部５ｄ、上排出口３５及び第１の通路１２１ａが、遊技球で満たされた状態となる。そして、この状態で、仕切部材１２１Ｓに到達する遊技球（溢れ球Ｙ２）は、第２の通路１２１ｂに進入する。そして、この第２の通路１２１ｂに進入した遊技球（溢れ球Ｙ２）は、溢れ球導入通路３８ｔを通過し、溢れ球回収部（溢れ球回収口）３８ｒに回収され、溢れ球進入部８２ｆ、下皿排出通路８４ａ、出口部８２ｅ、下排出口３８ｍを通過し、収納部３８の前方（下皿部材６の方向）に排出される（図２３を参照）。
【０１７３】
これらに対して、上皿部材５が開放状態であると、図３５に示すように、「払出球誘導樋１２０で誘導され、上排出口３５の前方に排出された遊技球」は、零れ球回収口３８ｋに回収され、上壁部（衝撃吸収壁）８５ａに落下する。そして、下皿排出通路８４ａ、出口部８２ｅ、下排出口３８ｍを経て収納部３８の前方（下皿部材６の方向）に排出される（図２２を参照）。
【０１７４】
本実施例では、以上のように、溢れ球Ｙ２を、下皿部材６の方向に導くための通路を、通路ボックス８０に設けている。このため、裏機構盤１０２の略中央下端部等には、この「溢れ球Ｙ２を下皿部材６の方向に導くための通路」を形成する部材（下皿部材用球通路部材等）を別途、配置する必要がない。尚、遊技球排除樋１２５は、遊技機１から遊技球を排除するための（球抜きするため）に使用されるものである。この遊技球排除樋１２５は、遊技機１を島設備Ｓから取り外したり、遊技機１の設置箇所を変更する場合に使用される。
【０１７５】
主制御基板ケース、中継端子板や、払出制御基板ケース１１８等の各種基板類は、裏機構盤１０２に回動自在に懸架された図示しない金属板に、着脱自在に装着されている。
【０１７６】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。
【０１７７】
（２）制御回路の構成
次に、図３６〜図３８を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１７８】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１７９】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図３６〜図３８中の矢印の向きは、データあるいは信号を入出力する方向を表している。また、図３７においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１８０】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１８１】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示基板２２２やスピーカーＳＰを駆動するアンプ基板２２４が接続されている。
【０１８２】
演出制御部２２０Ａ（演出制御基板２２０）は、装飾用の各種ＬＥＤ基板４ｃ〜４ｉ等を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１８３】
払出制御部２４０Ａ（払出制御基板２４０）は、所謂、貸球や賞球の払い出しに関する各種の制御を司っている。例えば、遊技者が上皿部材５に設けられた球貸スイッチ５ｂや返却スイッチ５ｃを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１８４】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１８５】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１８６】
下皿部材６に設けられた下皿満タンスイッチ６ｓからの信号も払出制御部２４０Ａ（払出制御基板２４０）に入力されている。このため、下皿部材６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１８７】
次に、演出制御部２２０Ａ（演出制御基板２２０）に対する信号或いはコマンドの入出力関係について説明する。前述のように、演出制御部２２０Ａ（演出制御基板２２０）には、演出表示基板２２２と、アンプ基板２２４、装飾駆動基板２２６、演出ボタン基板２２８などの各種基板が接続されている。
【０１８８】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰ１〜ＳＰ４で出力する効果音、更には、（ｃ）各種ＬＥＤランプや、「ＬＥＤ基板４ｃ〜４ｉに搭載されたＬＥＤランプ」の点灯若しくは点滅の具体的な態様を決定する。次いで、演出制御部２２０Ａ（演出制御基板２２０）の駆動信号を演出表示基板２２２に出力して、演出用図柄の変動停止表示を行う。このとき、表示されるキャラクタ図柄や背景図柄などの一部データについては、中央表示装置（液晶表示装置）２７、或いは、演出表示基板２２２に内蔵された演出表示ＲＯＭ２７ｒに格納されているデータを使用する。
【０１８９】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ、「ＬＥＤ基板４ｃ〜４ｉに搭載されたＬＥＤランプ」等の駆動信号を出力することによって、各種ＬＥＤの点灯・点滅動作等を制御する。更に、上皿部材５の前面側に設けられた操作スイッチＳＷを、遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１９０】
（３）実施例の効果
本実施例の遊技機１によると、上皿部材５が開放状態とされたときに、上排出口３５の前方に零れ球回収口３８ｋが存在すると共に、脱落防止部材３９が上排出口３５の前方に対向する位置に突出する。よって、「零れ球」は、概ね、零れ球回収口３８ｋによって円滑に回収される。また、「零れ球」の中には、零れ球回収口３８ｋを前方に飛び越えようとしたり、通路ボックス８０内でバウンドし、零れ球回収口３８ｋから上方に飛び出そうとするものも存在するが、脱落防止部材３９が、これらの「零れ球」を零れ球回収口３８ｋに導くように作用することができる。
【０１９１】
即ち、本実施例の遊技機１によると、上皿部材５が開放状態にあるときに、脱落防止部材３９を有効に機能させつつも、原則的には、零れ球を下皿部材６に向かって順次、排出する。このため、例えば、「球詰まりの解消作業」を行う場合において、問題点が解消されれば（例えば、球詰まりが解消されれば）、上皿部材５を開放状態としたまま、払出球誘導樋１２０内の遊技球を、上排出口３５、零れ球回収口３８ｋ、下皿排出通路８４ａ、下皿部材６等の順に通過させることができる。即ち、上皿部材５を開放したままの状態で、「球詰まりの解消作業」等が完了したか否かを確認できる。従って「零れ球」の的確な処理を行いつつも、「球詰まりの解消作業等の保守作業」を、より迅速に実行可能である。
【０１９２】
また、本実施例では、「自己の弾性」を用いて、「上排出口３５の前方に対向する位置から退避する状態（以下、「退避状態」）」と、「上排出口の前方に対向する位置から出現する状態（以下、「出現状態」）と、の間で状態を変化させる弾性部材を用いて脱落防止部材３９を構成する。つまり、簡易な構造の脱落防止部材３９を用いて、「零れ球」の的確な処理を行うことができる。  
【０１９３】
また、本実施例では、収納部３８（本体枠３）に対して収納用凹部３８ｃを形成すると共に、この収納用凹部３８ｃに装着される通路ボックス８０を用いて、零れ球を下皿部材６に導くための通路（下皿排出通路８４ａ）を構成するため、本体枠３の後面部の後方の空きスペースを拡大できる。
【０１９４】
更に、本実施例では、通路ボックス８０を、本体枠３の後面部において開口する収納用凹部３８ｃに装着するため、通路ボックス８０と、本体枠３との間の隙間を、遊技機１の前方から視認することが不可能となる。このため、本実施例によると、「零れ球」や「溢れ球」の的確な処理を行いつつ、不正行為を効果的に防止できる遊技機１が得られる。
【０１９５】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。即ち、本実施例では、ボックス状の通路形成部材を例示したが、各請求項の発明では、通路形成部材を蓋状に構成してもよい。また、後方板状部材６００の構成素材は、本実施例で例示する樹脂に限定されない。例えば、木材（合板等）や金属等であってもよい。
【産業上の利用可能性】
【０１９６】
本発明は、遊技機を製造、販売等する分野において利用できる。
【図面の簡単な説明】
【０１９７】
【図１】本発明の実施例に係る遊技機を示す斜視図である。
【図２】本発明の実施例に係る遊技機において、遊技盤を示す正面図である。
【図３】本発明の実施例に係る遊技機において、外枠及び遊技機本体等を説明するための概略的な説明図である。
【図４】本発明の実施例に係る遊技機において、本体枠を説明するための概略的な斜視図である。
【図５】本発明の実施例に係る遊技機において、本体枠を説明するための概略的な背面図である。
【図６】（ａ）は図４の１−１断面図、（ｂ）は本体枠が遊技盤を保持した状態を説明するための説明図、（ｃ）は図４の２−２断面図、（ｄ）は本体枠が遊技盤を保持した状態を説明するための説明図である。
【図７】本体枠が遊技盤を保持した状態を説明するための概略的な背面図である。
【図８】本発明の各実施例に係る遊技機において、本体枠等を説明するための概略的な正面図である。
【図９】（ａ）は図８の１１−１１断面図、（ｂ）は図８の１２−１２断面図、（ｃ）図８の１２−１２断面図である。
【図１０】本発明の実施例に係る遊技機において、通路ボックスを収納用凹部から取り外した状態を説明するための概略的な斜視図である。
【図１１】本発明の実施例に係る遊技機において、通路ボックスを収納用凹部に装着した状態を説明するための概略的な斜視図である。
【図１２】本発明の実施例に係る遊技機において、通路ボックスの概略的な斜視図である。
【図１３】（ａ）は脱落防止部材を説明するための概略的な正面図、（ｂ）は通路ボックス出口部等説明するための概略的な縦断面図である。
【図１４】本発明の実施例に係る遊技機において、通路ボックスの機能（零れ球処理時）を説明するための概略的な説明図である。
【図１５】本発明の実施例に係る遊技機において、通路ボックスの機能（溢れ球処理時）を説明するための概略的な説明図である。
【図１６】本発明の実施例に係る遊技機において、通路ボックスの機能（球抜き処理時及びファール球処理時）を説明するための概略的な説明図である。
【図１７】本発明の実施例に係る遊技機において、上皿部材等を説明するための概略的な説明図である。
【図１８】本発明の実施例に係る遊技機において、上皿部材及び下皿部材等を説明するための概略的な説明図である。
【図１９】本発明の実施例に係る遊技機において、上皿部材等を説明するための概略的な説明図である。
【図２０】本発明の実施例に係る遊技機において、上皿部材及び下皿部材等を説明するための概略的な説明図である。
【図２１】本発明の実施例に係る遊技機において、遊技球の誘導するルート（払出時）を説明するための概略的な説明図である。
【図２２】本発明の実施例に係る遊技機において、遊技球の誘導するルート（零れ球処理時）を説明するための概略的な説明図である。
【図２３】本発明の実施例に係る遊技機において、遊技球の誘導するルート（溢れ球処理時）を説明するための概略的な説明図である。
【図２４】本発明の実施例に係る遊技機において、遊技球の誘導するルート（球抜き球処理時）を説明するための概略的な説明図である。
【図２５】本発明の実施例に係る遊技機において、遊技球の誘導するルート（ファール球処理時）を説明するための概略的な説明図である。
【図２６】本発明の各実施例に係る遊技機において、遊技盤を示す正面図である。
【図２７】本発明の各実施例に係る遊技機において、遊技盤を示す斜視図である。
【図２８】図２６の遊技盤を構成する後方板状部材の概略的な正面図である。
【図２９】図２６の遊技盤を構成する後方板状部材の斜視図である。
【図３０】中央表示装置（画像表示装置）の固着方法等を説明するための説明図である。
【図３１】（ａ）は本発明の各実施例において、左下表示装置の概略的な正面図であり、（ｂ）は本発明の実施例において、右下表示装置の概略的な正面図である。
【図３２】本発明の各実施例に係る遊技機において、遊技盤を示す背面図である。
【図３３】賞球払出装置及び払出球誘導樋等を説明するための説明図である。
【図３４】（ａ）及び（ｂ）は払出球誘導樋等を説明するための説明図である。
【図３５】払出球誘導樋等を説明するための説明図である。
【図３６】本発明の実施例に係る電子制御装置を示すブロック図である。
【図３７】本発明の実施例に係る電子制御装置を示すブロック図である。
【図３８】本発明の実施例に係る電子制御装置を示すブロック図である。
【符号の説明】
【０１９８】
１；遊技機（弾球遊技機）、
２；外枠、
３；本体枠、
５；上皿部材、
５Ｂ；上皿本体、
５ｄ；球受入部、
５ｂ；上皿導入口、
６；下皿部材、
６Ｂ；下皿本体、
６ａ；下皿導入口、
１０；遊技盤、
１１；遊技領域、
１２；外側レール、
１３；内側レール、
３５；上排出口、
３８；収納部、
３８ｃ；収納用凹部、
３８ｋ；零れ球回収口、
３８ｍ；下排出口、
３８ｎ；球抜き用回収口、
３８ｐファール球回収口、
３８ｒ；溢れ球回収部（溢れ球回収口）、
３８ｓ不正防止壁、
３９；脱落防止部材、
８０；通路ボックス、
８４ａ；下皿排出通路、
８５ａ；上壁部（衝撃吸収壁）、
１０９；賞球払出装置（払出装置）、
１２０；払出球誘導樋（誘導手段）、
５００；前方板状部材、
６００；後方板状部材。
【図１】
2008079932.tif 000003
【図２】
2008079932.tif 000004
【図３】
2008079932.tif 000005
【図４】
2008079932.tif 000006
【図５】
2008079932.tif 000007
【図６】
2008079932.tif 000008
【図７】
2008079932.tif 000009
【図８】
2008079932.tif 000010
【図９】
2008079932.tif 000011
【図１０】
2008079932.tif 000012
【図１１】
2008079932.tif 000013
【図１２】
2008079932.tif 000014
【図１３】
2008079932.tif 000015
【図１４】
2008079932.tif 000016
【図１５】
2008079932.tif 000017
【図１６】
2008079932.tif 000018
【図１７】
2008079932.tif 000019
【図１８】
2008079932.tif 000020
【図１９】
2008079932.tif 000021
【図２０】
2008079932.tif 000022
【図２１】
2008079932.tif 000023
【図２２】
2008079932.tif 000024
【図２３】
2008079932.tif 000025
【図２４】
2008079932.tif 000026
【図２５】
2008079932.tif 000027
【図２６】
2008079932.tif 000028
【図２７】
2008079932.tif 000029
【図２８】
2008079932.tif 000030
【図２９】
2008079932.tif 000031
【図３０】
2008079932.tif 000032
【図３１】
2008079932.tif 000033
【図３２】
2008079932.tif 000034
【図３３】
2008079932.tif 000035
【図３４】
2008079932.tif 000036
【図３５】
2008079932.tif 000037
【図３６】
2008079932.tif 000038
【図３７】
2008079932.tif 000039
【図３８】
2008079932.tif 000040